(57)【特許請求の範囲】
【請求項１】
デバイスにおけるワイヤレス通信のための方法であって、
ライセンスされていない無線周波数スペクトル帯域の複数のチャネルに対するアクセスを競合するために使用される複数のカウンタを識別することと、前記複数のカウンタの各々が、前記ライセンスされていない無線周波数スペクトル帯域の前記複数のチャネルのうちのそれぞれのチャネルに関連付けられ、
前記複数のチャネルのうちの第１のチャネルに対するアクセスを競合するために、拡張クリアチャネルアセスメント（ｅＣＣＡ）手順を実施することと、前記ｅＣＣＡ手順が前記複数のカウンタのうちの１つのカウンタに少なくとも部分的に基づき、
前記ライセンスされていない無線周波数スペクトル帯域の前記複数のチャネルのうちの前記第１のチャネルを測定することと、前記測定が、前記ライセンスされていない無線周波数スペクトル帯域の前記複数のチャネルのうちの前記第１のチャネルに対する前記アクセス競合に関連付けられ、
前記測定に少なくとも部分的に基づいて、前記複数のカウンタの少なくともサブセットを同期化または非同期化することと
を備え、
前記複数のカウンタが、第１のチャネルに対するアクセス競合に関連付けられた第１のカウンタと、第２のチャネルに対するアクセス競合に関連付けられた第２のカウンタとを備え、前記同期化または非同期化することが、
前記第２のカウンタの第２の最終カウントに達する前に前記第１のカウンタの第１の最終カウントに達して、再同期化フラグがセットされると決定すると、前記第１のカウンタの第１の現在値を前記第２のカウンタの第２の現在値に設定し、前記第１のチャネル上の送信を延期すること
を備える、方法。
【請求項２】
前記同期化または非同期化することが、
前記測定が第１のチャネルおよび第２のチャネルのうちの少なくとも１つでエネルギーしきい値を上回るチャネルエネルギーを示すとき、少なくとも前記第１のチャネルに対するアクセス競合に関連付けられた第１のカウンタと、前記第２のチャネルに対するアクセス競合に関連付けられた第２のカウンタとを非同期化すること
を備える、請求項１に記載の方法。
【請求項３】
時間間隔の間に前記測定を実施すること
をさらに備え、
前記同期化または非同期化することが、前記時間間隔の間の前記測定が前記複数のチャネルの各々でエネルギーしきい値を上回るチャネルエネルギーを示すとき、前記複数のカウンタを第１のグループのカウンタおよび第２のグループのカウンタに分割することを備える、
請求項１に記載の方法。
【請求項４】
前記時間間隔がＣＣＡスロットを備える、請求項３に記載の方法。
【請求項５】
時間間隔の間に前記測定を実施すること
をさらに備え、
前記同期化または非同期化することが、前記時間間隔の間の前記測定が第１のチャネルおよび第２のチャネルの各々でエネルギーしきい値を下回るチャネルエネルギーを示すとき、少なくとも前記第１のチャネルに対するアクセス競合に関連付けられた第１のカウンタと、前記第２のチャネルに対するアクセス競合に関連付けられた第２のカウンタとを同期化することを備える、
請求項１に記載の方法。
【請求項６】
前記時間間隔が、周期的再同期化スロットのセットに属する再同期化スロットを備える、請求項５に記載の方法。
【請求項７】
前記同期化することが、
前記第１のカウンタおよび前記第２のカウンタを、前記第１のカウンタの第１の現在値および前記第２のカウンタの第２の現在値の最大値に同期化すること
を備える、請求項５に記載の方法。
【請求項８】
初期化手順の間に前記再同期化フラグをセットすること
をさらに備える、請求項１に記載の方法。
【請求項９】
評価期間内に並行して前記ライセンスされていない無線周波数スペクトル帯域のあらかじめ決められた数のチャネル上で前記デバイスが送信する時間の割合を計算することと、
しきい値を満たす前記時間の割合に少なくとも部分的に基づいて、前記再同期化フラグをセットすることと
をさらに備える、請求項１に記載の方法。
【請求項１０】
前記同期化または非同期化することが、
前記第１のチャネルに対するアクセス競合に勝つと、前記複数のチャネルのうちの第２のチャネルに対するアクセスを競合するために、クリアチャネルアセスメント（ＣＣＡ）手順を実施することと、
前記ｅＣＣＡ手順および前記ＣＣＡ手順を成功裏に実施すると、前記第２のチャネルに対するアクセス競合に勝つことと
を備える、請求項１に記載の方法。
【請求項１１】
デバイスにおけるワイヤレス通信のための装置であって、
ライセンスされていない無線周波数スペクトル帯域の複数のチャネルに対するアクセスを競合するために使用される複数のカウンタを識別するための手段と、前記複数のカウンタの各々が、前記ライセンスされていない無線周波数スペクトル帯域の前記複数のチャネルのうちのそれぞれのチャネルに関連付けられ、
前記複数のチャネルのうちの第１のチャネルに対するアクセスを競合するために、拡張クリアチャネルアセスメント（ｅＣＣＡ）手順を実施するための手段と、前記ｅＣＣＡ手順が前記複数のカウンタのうちの１つのカウンタに少なくとも部分的に基づき、
前記ライセンスされていない無線周波数スペクトル帯域の前記複数のチャネルのうちの少なくとも１つのチャネルを測定するための手段と、前記測定が、前記ライセンスされていない無線周波数スペクトル帯域の前記複数のチャネルのうちの前記第１のチャネルに対する前記アクセス競合に関連付けられ、
前記測定に少なくとも部分的に基づいて、前記複数のカウンタの少なくともサブセットを同期化または非同期化するための手段と
を備え、
前記複数のカウンタが、第１のチャネルに対するアクセス競合に関連付けられた第１のカウンタと、第２のチャネルに対するアクセス競合に関連付けられた第２のカウンタとを備え、同期化または非同期化するための前記手段が、
前記第２のカウンタの第２の最終カウントに達する前に前記第１のカウンタの第１の最終カウントに達して、再同期化フラグがセットされると決定すると、前記第１のカウンタの第１の現在値を前記第２のカウンタの第２の現在値に設定し、前記第１のチャネル上の送信を延期するための手段
を備える、装置。
【請求項１２】
同期化または非同期化するための前記手段が、
前記測定が第１のチャネルおよび第２のチャネルのうちの少なくとも１つでエネルギーしきい値を上回るチャネルエネルギーを示すとき、少なくとも前記第１のチャネルに対するアクセス競合に関連付けられた第１のカウンタと、前記第２のチャネルに対するアクセス競合に関連付けられた第２のカウンタとを非同期化するための手段
を備える、請求項１１に記載の装置。
【請求項１３】
時間間隔の間に前記測定を実施するための手段
をさらに備え、
同期化または非同期化するための前記手段が、前記時間間隔の間の前記測定が前記複数のチャネルの各々でエネルギーしきい値を上回るチャネルエネルギーを示すとき、前記複数のカウンタを第１のグループのカウンタおよび第２のグループのカウンタに分割するための手段を備える、
請求項１１に記載の装置。
【請求項１４】
時間間隔の間に前記測定を実施するための手段
をさらに備え、
同期化または非同期化するための前記手段が、前記時間間隔の間の前記測定が第１のチャネルおよび第２のチャネルの各々でエネルギーしきい値を下回るチャネルエネルギーを示すとき、少なくとも前記第１のチャネルに対するアクセス競合に関連付けられた第１のカウンタと、前記第２のチャネルに対するアクセス競合に関連付けられた第２のカウンタとを同期化するための手段を備える、
請求項１１に記載の装置。
【請求項１５】
前記時間間隔が、周期的再同期化スロットのセットに属する再同期化スロットを備える、請求項１４に記載の装置。
【請求項１６】
同期化するための前記手段が、
前記第１のカウンタおよび前記第２のカウンタを、前記第１のカウンタの第１の現在値および前記第２のカウンタの第２の現在値の最大値に同期化するための手段
を備える、請求項１４に記載の装置。
【請求項１７】
評価期間内に並行して前記ライセンスされていない無線周波数スペクトル帯域のあらかじめ決められた数のチャネル上で前記デバイスが送信する時間の割合を計算するための手段と、
しきい値を満たす前記時間の割合に少なくとも部分的に基づいて、前記再同期化フラグをセットするための手段と
をさらに備える、請求項１１に記載の装置。
【請求項１８】
同期化または非同期化するための前記手段が、
前記第１のチャネルに対するアクセス競合に勝つと、前記複数のチャネルのうちの第２のチャネルに対するアクセスを競合するために、クリアチャネルアセスメント（ＣＣＡ）手順を実施するための手段と、
前記ｅＣＣＡ手順および前記ＣＣＡ手順を成功裏に実施すると、前記第２のチャネルに対するアクセス競合に勝つための手段と
を備える、請求項１１に記載の装置。
【請求項１９】
デバイスにおけるワイヤレス通信のための装置であって、
プロセッサと、
前記プロセッサと電子通信しているメモリと
を備え、
前記プロセッサおよび前記メモリが、
ライセンスされていない無線周波数スペクトル帯域の複数のチャネルに対するアクセスを競合するために使用される複数のカウンタを識別することと、前記複数のカウンタの各々が、前記ライセンスされていない無線周波数スペクトル帯域の前記複数のチャネルのうちのそれぞれのチャネルに関連付けられ、
前記複数のチャネルのうちの第１のチャネルに対するアクセスを競合するために、拡張クリアチャネルアセスメント（ｅＣＣＡ）手順を実施することと、前記ｅＣＣＡ手順が前記複数のカウンタのうちの１つのカウンタに少なくとも部分的に基づき、
前記ライセンスされていない無線周波数スペクトル帯域の前記複数のチャネルのうちの少なくとも１つのチャネルを測定することと、前記測定が、前記ライセンスされていない無線周波数スペクトル帯域の前記複数のチャネルのうちの前記第１のチャネルに対する前記アクセス競合に関連付けられ、
前記測定に少なくとも部分的に基づいて、前記複数のカウンタの少なくともサブセットを同期化または非同期化することと
を行うように構成され、
前記複数のカウンタが、第１のチャネルに対するアクセス競合に関連付けられた第１のカウンタと、第２のチャネルに対するアクセス競合に関連付けられた第２のカウンタとを備え、前記同期化または非同期化することが、
前記第２のカウンタの第２の最終カウントに達する前に前記第１のカウンタの第１の最終カウントに達して、再同期化フラグがセットされると決定すると、前記第１のカウンタの第１の現在値を前記第２のカウンタの第２の現在値に設定し、前記第１のチャネル上の送信を延期すること
を備える、装置。
【請求項２０】
前記同期化または非同期化することが、
前記測定が第１のチャネルおよび第２のチャネルのうちの少なくとも１つでエネルギーしきい値を上回るチャネルエネルギーを示すとき、少なくとも前記第１のチャネルに対するアクセス競合に関連付けられた第１のカウンタと、前記第２のチャネルに対するアクセス競合に関連付けられた第２のカウンタとを非同期化すること
を備える、請求項１９に記載の装置。
【請求項２１】
前記プロセッサおよび前記メモリが、
時間間隔の間に前記測定を実施すること
を行うように構成され、
前記同期化または非同期化することが、前記時間間隔の間の前記測定が前記複数のチャネルの各々でエネルギーしきい値を上回るチャネルエネルギーを示すとき、前記複数のカウンタを第１のグループのカウンタおよび第２のグループのカウンタに分割することを備える、
請求項１９に記載の装置。
【請求項２２】
前記プロセッサおよび前記メモリが、
時間間隔の間に前記測定を実施すること
を行うように構成され、
前記同期化または非同期化することが、前記時間間隔の間の前記測定が第１のチャネルおよび第２のチャネルの各々でエネルギーしきい値を下回るチャネルエネルギーを示すとき、少なくとも前記第１のチャネルに対するアクセス競合に関連付けられた第１のカウンタと、前記第２のチャネルに対するアクセス競合に関連付けられた第２のカウンタとを同期化することを備える、
請求項１９に記載の装置。
【請求項２３】
前記プロセッサおよび前記メモリが、
初期化手順の間に前記再同期化フラグをセットすること
を行うように構成される、請求項１９に記載の装置。
【請求項２４】
前記プロセッサおよび前記メモリが、
評価期間内に並行して前記ライセンスされていない無線周波数スペクトル帯域のあらかじめ決められた数のチャネル上で前記デバイスが送信する時間の割合を計算することと、
しきい値を満たす前記時間の割合に少なくとも部分的に基づいて、前記再同期化フラグをセットすることと
を行うように構成される、請求項１９に記載の装置。
【請求項２５】
ワイヤレス通信のためのコンピュータ実行可能コードを記憶するコンピュータ可読記憶媒体であって、前記コードが、
ライセンスされていない無線周波数スペクトル帯域の複数のチャネルに対するアクセスを競合するために使用される複数のカウンタを識別することと、前記複数のカウンタの各々が、前記ライセンスされていない無線周波数スペクトル帯域の前記複数のチャネルのうちのそれぞれのチャネルに関連付けられ、
前記複数のチャネルのうちの第１のチャネルに対するアクセスを競合するために、拡張クリアチャネルアセスメント（ｅＣＣＡ）手順を実施することと、前記ｅＣＣＡ手順が前記複数のカウンタのうちの１つのカウンタに少なくとも部分的に基づき、
前記ライセンスされていない無線周波数スペクトル帯域の前記複数のチャネルのうちの少なくとも１つのチャネルを測定することと、前記測定が、前記ライセンスされていない無線周波数スペクトル帯域の前記複数のチャネルのうちの前記第１のチャネルに対する前記アクセス競合に関連付けられ、
前記測定に少なくとも部分的に基づいて、前記複数のカウンタの少なくともサブセットを同期化または非同期化することと
を行うようにプロセッサによって実行可能であり、
前記複数のカウンタが、第１のチャネルに対するアクセス競合に関連付けられた第１のカウンタと、第２のチャネルに対するアクセス競合に関連付けられた第２のカウンタとを備え、前記同期化または非同期化することが、
前記第２のカウンタの第２の最終カウントに達する前に前記第１のカウンタの第１の最終カウントに達して、再同期化フラグがセットされると決定すると、前記第１のカウンタの第１の現在値を前記第２のカウンタの第２の現在値に設定し、前記第１のチャネル上の送信を延期すること
を備える、コンピュータ可読記憶媒体。
【発明の詳細な説明】
【相互参照】
【０００１】
[0001]本特許出願は、各々が本出願の譲受人に譲渡された、２０１６年６月３日に出願された、「Ｔｅｃｈｎｉｑｕｅｓ  ｆｏｒ  Ｓｙｎｃｈｒｏｎｉｚｉｎｇ  ａｎｄ  Ｄｅｓｙｎｃｈｒｏｎｉｚｉｎｇ  Ｃｏｎｔｅｎｔｉｏｎ  ｆｏｒ  Ａｃｃｅｓｓ  ｔｏ  ａ  Ｐｌｕｒａｌｉｔｙ  ｏｆ  Ｃｈａｎｎｅｌｓ」と題する、Ｄａｂｅｅｒらによる米国特許出願第１５／１７２，６８２号、および２０１５年７月１０日に出願された、「Ｔｅｃｈｎｉｑｕｅｓ  ｆｏｒ  Ｓｙｎｃｈｒｏｎｉｚｉｎｇ  ａｎｄ  Ｄｅｓｙｎｃｈｒｏｎｉｚｉｎｇ  Ｃｏｎｔｅｎｔｉｏｎ  ｆｏｒ  Ａｃｃｅｓｓ  ｔｏ  ａ  Ｐｌｕｒａｌｉｔｙ  ｏｆ  Ｃｈａｎｎｅｌｓ」と題する、Ｄａｂｅｅｒらによる米国仮特許出願第６２／１９０，９４３号に対する優先権を主張する。
【背景技術】
【０００２】
開示の分野
[0002]本開示は、たとえば、ワイヤレス通信システムに関し、より詳細には、ライセンスされていない（unlicensed）無線周波数スペクトル帯域の複数のチャネルに対するアクセス競合（contention for access）を同期化および非同期化することに関する。
【０００３】
関連技術の説明
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することにより、複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]例として、ワイヤレス多元接続通信システムは、いくつかの基地局を含む場合があり、各々が、ユーザ機器（ＵＥ）としても知られる複数の通信デバイス向けの通信を同時にサポートする。基地局は、（たとえば、基地局からＵＥへの送信用の）ダウンリンクチャネル上で、および（たとえば、ＵＥから基地局への送信用の）アップリンクチャネル上でＵＥと通信することができる。
【０００５】
[0005]いくつかのワイヤレス通信システムでは、基地局およびＵＥは、ライセンスされていない無線周波数スペクトル帯域内の拡張コンポーネントキャリア（ｅＣＣ）上で通信し得る。ｅＣＣにアクセスし、ｅＣＣ上で通信するより前に、基地局またはＵＥは、ライセンスされていない無線周波数スペクトル帯域の複数のチャネルに対するアクセスを競合する場合がある。ライセンスされていない無線周波数スペクトル帯域の各チャネルに対するアクセスを競合することは、チャネルごとにリッスンビフォアトーク（ＬＢＴ）手順を実施することを含み得る。ＬＢＴ手順は、ライセンスされていない無線周波数スペクトル帯域のチャネルが利用可能であるかどうかを決定するために、クリアチャネルアセスメント（ＣＣＡ）手順または拡張ＣＣＡ（ｅＣＣＡ）手順を実施することを含み得る。ライセンスされていない無線周波数スペクトル帯域のチャネルが利用可能であると決定されるとき、チャネルを予約するために、チャネル予約信号（たとえば、チャネル使用ビーコン信号（ＣＵＢＳ））が送信され得る。チャネル予約信号を受信するデバイスは、チャネルにアクセスすることを延期し得る。
【発明の概要】
【０００６】
[0006]本開示は、たとえば、ワイヤレス通信システムに関し、より詳細には、ライセンスされていない無線周波数スペクトル帯域の複数のチャネルに対するアクセス競合を同期化および非同期化することに関する。ライセンスされていない無線周波数スペクトル帯域の複数のチャネルに対するアクセスを競合するとき、デバイス（たとえば、基地局またはユーザ機器（ＵＥ））は、いくつかの例では、チャネルごとに拡張クリアチャネルアセスメント（ｅＣＣＡ）手順を実施することができる。ｅＣＣＡ手順の各々は、複数のＣＣＡスロット上で実施され得、複数のカウンタのうちのそれぞれのカウンタに基づき得る。チャネルがＣＣＡスロットの間クリアである（clear）と決定されるとき、そのチャネルに対応するカウンタは減分され得る。チャネルがＣＣＡスロットの間ビジーであると決定されるとき、そのチャネルに対応するカウンタは減分されない場合がある。カウンタが最終カウント（たとえば、ゼロ）に達するとき、そのカウンタに対応するチャネルに対するアクセス競合に勝つことができる。
【０００７】
[0007]複数のチャネルに対するアクセスを競合するためにｅＣＣＡ手順を開始するより前に、複数のカウンタは、（カウンタが同期化されることを意味する）同じ値、または（カウンタが同期化されないことを意味する）異なる値に初期化され得る。いくつかの例では、様々なチャネルに対応するカウンタの初期値が同じ値に初期化されるか、または異なる値に初期化されるかにかかわらず、様々なチャネルに対するｅＣＣＡ手順は様々な時間に始まり得る。このようにして、２つ以上のグループのカウンタが同期化される時間、および２つ以上のグループのカウンタが同期化されない（すなわち、非同期化される）時間があり得る。第１のチャネルに対応する第１のカウンタおよび第２のチャネルに対応する第２のカウンタが同期化されるとき、第１のカウンタおよび第２のカウンタは同時に最終カウントに達することができ、デバイスは、並行して第１のチャネルと第２のチャネルの両方に対するアクセス競合に勝つことができる。しかしながら、第１のカウンタおよび第２のカウンタが同期化されないとき、カウンタのうちの１つは他のカウンタよりも早く最終カウントに達することができ、デバイスは、第１のチャネルまたは第２のチャネルのいずれかに対するアクセス競合に勝つことができる。デバイスがデバイスのエネルギー検出範囲内の複数のチャネルに対するアクセスを競合する唯一のデバイスであるとき、そのことは、デバイスが、並行してチャネルのすべてに対するアクセス競合に勝つことができるように、複数のチャネルに対応する複数のカウンタが同期化される場合、デバイスの送信帯域幅または受信帯域幅を改善することができる。複数のデバイスが並行して複数のチャネルに対するアクセスを競合しているとき、そのことは、デバイスが、チャネルに対するアクセスを競合しているデバイスの数に基づいて、１つまたは複数のチャネルの第１のセットに対するアクセス競合に勝つ可能性が高くなり、１つまたは複数のデバイスが、同時にチャネルの１つまたは複数の他のセットに対するアクセス競合に勝つことができる（たとえば、その結果、複数のデバイスが周波数分割多重化（ＦＤＭ）モードで並行して送信または受信することができる）ように、複数のカウンタが非同期化される場合、アクセスの公平性を改善することができる（およびチャネル当たりのより高い送信電力を可能にすることもできる）。本開示に記載される技法は、このようにして、様々な条件下で複数のチャネルに対するアクセス競合を同期化および非同期化することを提供する。
【０００８】
[0008]一例では、ワイヤレス通信のための方法は、ライセンスされていない無線周波数スペクトル帯域の複数のチャネルに対するアクセスを競合するために使用される複数のカウンタを識別することを含み得る。複数のカウンタの各々は、ライセンスされていない無線周波数スペクトル帯域の複数のチャネルのうちのそれぞれのチャネルに関連付けられ得る。方法はまた、ライセンスされていない無線周波数スペクトル帯域の複数のチャネルのうちの少なくとも１つのチャネルを測定することを含み得る。測定は、ライセンスされていない無線周波数スペクトル帯域の少なくとも１つのチャネルに対するアクセス競合に関連付けられ得る。方法はまた、測定に少なくとも部分的に基づいて複数のカウンタの少なくともサブセットを同期化または非同期化することを含み得る。
【０００９】
[0009]方法のいくつかの例では、同期化または非同期化することは、測定が第１のチャネルおよび第２のチャネルのうちの少なくとも１つでエネルギーしきい値を上回るチャネルエネルギーを示すとき、少なくとも第１のチャネルに対するアクセス競合に関連付けられた第１のカウンタと、第２のチャネルに対するアクセス競合に関連付けられた第２のカウンタとを非同期化することを含み得る。いくつかの例では、方法は、時間間隔の間に測定を実施することを含み得、同期化または非同期化することは、時間間隔の間の測定が複数のチャネルの各々でエネルギーしきい値を上回るチャネルエネルギーを示すとき、複数のカウンタを第１のグループのカウンタ（a first group of counters）および第２のグループのカウンタに分割することを含み得る。いくつかの例では、時間間隔はＣＣＡスロットを含み得る。
【００１０】
[0010]いくつかの例では、方法は、時間間隔の間に測定を実施することを含み得、同期化または非同期化することは、時間間隔の間の測定が第１のチャネルおよび第２のチャネルの各々でエネルギーしきい値を下回るチャネルエネルギーを示すとき、少なくとも第１のチャネルに対するアクセス競合に関連付けられた第１のカウンタと、第２のチャネルに対するアクセス競合に関連付けられた第２のカウンタとを同期化することを含み得る。いくつかの例では、時間間隔は、周期的再同期化スロットのセットに属する再同期化スロットを含み得る。いくつかの例では、同期化することは、第１のカウンタおよび第２のカウンタを、第１のカウンタの第１の現在値および第２のカウンタの第２の現在値の最大値に同期化することを含み得る。
【００１１】
[0011]方法のいくつかの例では、複数のカウンタは、第１のチャネルに対するアクセス競合に関連付けられた第１のカウンタと、第２のチャネルに対するアクセス競合に関連付けられた第２のカウンタとを含み得、同期化または非同期化することは、第２のカウンタの第２の最終カウントに達する前に第１のカウンタの第１の最終カウントに達して、再同期化フラグがセットされると決定すると、第１のカウンタの第１の現在値を第２のカウンタの第２の現在値に設定し、第１のチャネル上の送信を延期することを含み得る。いくつかの例では、方法は、初期化手順の間に再同期化フラグをセットすることを含み得る。いくつかの例では、方法は、デバイスが評価期間内に並行してライセンスされていない無線周波数スペクトル帯域のあらかじめ決められた数のチャネル上で送信する時間の割合を計算することと、しきい値を満たす時間の割合に少なくとも部分的に基づいて再同期化フラグをセットすることとを含み得る。
【００１２】
[0012]いくつかの例では、方法は、複数のチャネルのうちの第１のチャネルに対するアクセスを競合するために、ｅＣＣＡ手順を実施することを含み得る。ｅＣＣＡ手順は、複数のカウンタのうちの１つのカウンタに少なくとも部分的に基づき得る。いくつかの例では、同期化または非同期化することは、第１のチャネルに対するアクセス競合に勝つと、複数のチャネルのうちの第２のチャネルに対するアクセスを競合するためにＣＣＡ手順を実施することと、ｅＣＣＡ手順およびＣＣＡ手順を成功裏に（successfully）実施すると、第２のチャネルに対するアクセス競合に勝つこととを含み得る。
【００１３】
[0013]別の例では、デバイスにおけるワイヤレス通信のための装置は、ライセンスされていない無線周波数スペクトル帯域の複数のチャネルに対するアクセスを競合するために使用される複数のカウンタを識別するための手段を含み得る。複数のカウンタの各々は、ライセンスされていない無線周波数スペクトル帯域の複数のチャネルのうちのそれぞれのチャネルに関連付けられ得る。装置はまた、ライセンスされていない無線周波数スペクトル帯域の複数のチャネルのうちの少なくとも１つのチャネルを測定するための手段を含み得る。測定は、ライセンスされていない無線周波数スペクトル帯域の複数のチャネルのうちの少なくとも１つのチャネルに対するアクセス競合に関連付けられ得る。装置はまた、測定に少なくとも部分的に基づいて複数のカウンタの少なくともサブセットを同期化または非同期化するための手段を含み得る。
【００１４】
[0014]装置のいくつかの例では、同期化または非同期化するための手段は、測定が第１のチャネルおよび第２のチャネルのうちの少なくとも１つでエネルギーしきい値を上回るチャネルエネルギーを示すとき、少なくとも第１のチャネルに対するアクセス競合に関連付けられた第１のカウンタと、第２のチャネルに対するアクセス競合に関連付けられた第２のカウンタとを非同期化するための手段を含み得る。いくつかの例では、装置は、時間間隔の間に測定を実施するための手段を含み得、同期化または非同期化するための手段は、時間間隔の間の測定が複数のチャネルの各々でエネルギーしきい値を上回るチャネルエネルギーを示すとき、複数のカウンタを第１のグループのカウンタおよび第２のグループのカウンタに分割するための手段を含み得る。いくつかの例では、時間間隔はＣＣＡスロットを含み得る。
【００１５】
[0015]いくつかの例では、装置は、時間間隔の間に測定を実施するための手段を含み得、同期化または非同期化するための手段は、時間間隔の間の測定が第１のチャネルおよび第２のチャネルの各々でエネルギーしきい値を下回るチャネルエネルギーを示すとき、少なくとも第１のチャネルに対するアクセス競合に関連付けられた第１のカウンタと、第２のチャネルに対するアクセス競合に関連付けられた第２のカウンタとを同期化するための手段を含み得る。いくつかの例では、時間間隔は、周期的再同期化スロットのセットに属する再同期化スロットを含み得る。いくつかの例では、同期化するための手段は、第１のカウンタおよび第２のカウンタを、第１のカウンタの第１の現在値および第２のカウンタの第２の現在値の最大値に同期化するための手段を含み得る。
【００１６】
[0016]装置のいくつかの例では、複数のカウンタは、第１のチャネルに対するアクセス競合に関連付けられた第１のカウンタと、第２のチャネルに対するアクセス競合に関連付けられた第２のカウンタとを含み得、同期化または非同期化するための手段は、第２のカウンタの第２の最終カウントに達する前に第１のカウンタの第１の最終カウントに達して、再同期化フラグがセットされると決定すると、第１のカウンタの第１の現在値を第２のカウンタの第２の現在値に設定し、第１のチャネル上の送信を延期するための手段を含み得る。いくつかの例では、装置は、初期化手順の間に再同期化フラグをセットするための手段を含み得る。いくつかの例では、装置は、デバイスが評価期間内に並行してライセンスされていない無線周波数スペクトル帯域のあらかじめ決められた数のチャネル上で送信する時間の割合を計算するための手段と、しきい値を満たす時間の割合に少なくとも部分的に基づいて再同期化フラグをセットするための手段とを含み得る。
【００１７】
[0017]いくつかの例では、装置は、複数のチャネルのうちの第１のチャネルに対するアクセスを競合するために、ｅＣＣＡ手順を実施するための手段を含み得る。ｅＣＣＡ手順は、複数のカウンタのうちの１つのカウンタに少なくとも部分的に基づき得る。いくつかの例では、同期化または非同期化するための手段は、第１のチャネルに対するアクセス競合に勝つと、複数のチャネルのうちの第２のチャネルに対するアクセスを競合するためにＣＣＡ手順を実施するための手段と、ｅＣＣＡ手順およびＣＣＡ手順を成功裏に実施すると、第２のチャネルに対するアクセス競合に勝つための手段とを含み得る。
【００１８】
[0018]別の例では、デバイスにおけるワイヤレス通信のための装置は、プロセッサと、プロセッサと電子通信しているメモリとを含み得る。プロセッサおよびメモリは、ライセンスされていない無線周波数スペクトル帯域の複数のチャネルに対するアクセスを競合するために使用される複数のカウンタを識別するように構成され得る。複数のカウンタの各々は、ライセンスされていない無線周波数スペクトル帯域の複数のチャネルのうちのそれぞれのチャネルに関連付けられ得る。プロセッサおよびメモリはまた、ライセンスされていない無線周波数スペクトル帯域の複数のチャネルのうちの少なくとも１つのチャネルを測定するように構成され得る。測定は、ライセンスされていない無線周波数スペクトル帯域の複数のチャネルのうちの少なくとも１つのチャネルに対するアクセス競合に関連付けられ得る。プロセッサおよびメモリはまた、測定に少なくとも部分的に基づいて複数のカウンタの少なくともサブセットを同期化または非同期化するように構成され得る。
【００１９】
[0019]装置のいくつかの例では、同期化または非同期化することは、測定が第１のチャネルおよび第２のチャネルのうちの少なくとも１つでエネルギーしきい値を上回るチャネルエネルギーを示すとき、少なくとも第１のチャネルに対するアクセス競合に関連付けられた第１のカウンタと、第２のチャネルに対するアクセス競合に関連付けられた第２のカウンタとを非同期化することを含み得る。いくつかの例では、プロセッサおよびメモリは、時間間隔の間に測定を実施するように構成され得、同期化または非同期化することは、時間間隔の間の測定が複数のチャネルの各々でエネルギーしきい値を上回るチャネルエネルギーを示すとき、複数のカウンタを第１のグループのカウンタおよび第２のグループのカウンタに分割することを含み得る。いくつかの例では、プロセッサおよびメモリは、時間間隔の間に測定を実施するように構成され得、同期化または非同期化することは、時間間隔の間の測定が第１のチャネルおよび第２のチャネルの各々でエネルギーしきい値を下回るチャネルエネルギーを示すとき、少なくとも第１のチャネルに対するアクセス競合に関連付けられた第１のカウンタと、第２のチャネルに対するアクセス競合に関連付けられた第２のカウンタとを同期化することを含み得る。
【００２０】
[0020]装置のいくつかの例では、複数のカウンタは、第１のチャネルに対するアクセス競合に関連付けられた第１のカウンタと、第２のチャネルに対するアクセス競合に関連付けられた第２のカウンタとを含み得、同期化または非同期化することは、第２のカウンタの第２の最終カウントに達する前に第１のカウンタの第１の最終カウントに達して、再同期化フラグがセットされると決定すると、第１のカウンタの第１の現在値を第２のカウンタの第２の現在値に設定し、第１のチャネル上の送信を延期することを含み得る。いくつかの例では、プロセッサおよびメモリは、初期化手順の間に再同期化フラグをセットするように構成され得る。いくつかの例では、プロセッサおよびメモリは、デバイスが評価期間内に並行してライセンスされていない無線周波数スペクトル帯域のあらかじめ決められた数のチャネル上で送信する時間の割合を計算することと、しきい値を満たす時間の割合に少なくとも部分的に基づいて再同期化フラグをセットすることとを行うように構成され得る。
【００２１】
[0021]別の例では、ワイヤレス通信のためのコンピュータ実行可能コードを記憶する非一時的コンピュータ可読媒体は、ライセンスされていない無線周波数スペクトル帯域の複数のチャネルに対するアクセスを競合するために使用される複数のカウンタを識別するようにプロセッサによって実行可能なコードを含み得る。複数のカウンタの各々は、ライセンスされていない無線周波数スペクトル帯域の複数のチャネルのうちのそれぞれのチャネルに関連付けられ得る。コードはまた、ライセンスされていない無線周波数スペクトル帯域の複数のチャネルのうちの少なくとも１つのチャネルを測定するようにプロセッサによって実行可能であり得る。測定は、ライセンスされていない無線周波数スペクトル帯域の複数のチャネルのうちの少なくとも１つのチャネルに対するアクセス競合に関連付けられ得る。コードはまた、測定に少なくとも部分的に基づいて複数のカウンタの少なくともサブセットを同期化または非同期化するようにプロセッサによって実行可能であり得る。
【００２２】
[0022]非一時的コンピュータ可読媒体のいくつかの例では、コードはまた、時間間隔の間に測定を実施するようにプロセッサによって実行可能であり得、同期化または非同期化するようにプロセッサによって実行可能なコードは、時間間隔の間の測定が複数のチャネルの各々でエネルギーしきい値を上回るチャネルエネルギーを示すとき、複数のカウンタを第１のグループのカウンタおよび第２のグループのカウンタに分割するようにプロセッサによって実行可能なコードを含み得る。いくつかの例では、コードはまた、時間間隔の間に測定を実施するようにプロセッサによって実行可能であり得、同期化または非同期化するようにプロセッサによって実行可能なコードは、時間間隔の間の測定が第１のチャネルおよび第２のチャネルの各々でエネルギーしきい値を下回るチャネルエネルギーを示すとき、少なくとも第１のチャネルに対するアクセス競合に関連付けられた第１のカウンタと、第２のチャネルに対するアクセス競合に関連付けられた第２のカウンタとを同期化するようにプロセッサによって実行可能なコードを含み得る。いくつかの例では、複数のカウンタは、第１のチャネルに対するアクセス競合に関連付けられた第１のカウンタと、第２のチャネルに対するアクセス競合に関連付けられた第２のカウンタとを含み得、同期化または非同期化するようにプロセッサによって実行可能なコードは、第２のカウンタの第２の最終カウントに達する前に第１のカウンタの第１の最終カウントに達して、再同期化フラグがセットされると決定すると、第１のカウンタの第１の現在値を第２のカウンタの第２の現在値に設定し、第１のチャネル上の送信を延期するようにプロセッサによって実行可能なコードを含み得る。
【００２３】
[0023]上記では、以下の詳細な説明がよりよく理解され得るように、本開示による例の技法および技術的利点がかなり広く概説された。さらなる技法および利点が以下に記載される。開示される概念および具体例は、本開示の同じ目的を遂行するために他の構造を修正または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとよりよく理解されよう。図の各々は、例示および説明のために提供されるものであり、特許請求の範囲の限定の定義として提供されるものではない。
【００２４】
[0024]本発明の本質および利点のさらなる理解は、以下の図面を参照することによって実現され得る。添付の図では、同様のコンポーネントまたは機能は同じ参照ラベルを有し得る。さらに、同じタイプの様々なコンポーネントは、参照ラベルの後に、ダッシュと、同様のコンポーネントの間を区別する第２のラベルとを続けることによって区別され得る。第１の参照ラベルのみが本明細書において使用される場合、その説明は、第２の参照ラベルにかかわらず、同じ第１の参照ラベルを有する同様のコンポーネントのいずれか１つに適用可能である。
【図面の簡単な説明】
【００２５】
【図１】[0025]本開示の様々な態様による、ワイヤレス通信システムの一例を示す図。
【図２Ａ】[0026]本開示の様々な態様による、ライセンスされていない無線周波数スペクトル帯域のチャネルに対する、デバイスによるアクセス競合のタイムラインを示す図。
【図２Ｂ】[0027]本開示の様々な態様による、ライセンスされていない無線周波数スペクトル帯域のチャネルに対する、デバイスによるアクセス競合のタイムラインを示す図。
【図３】[0028]本開示の様々な態様による、ライセンスされていない無線周波数スペクトル帯域の複数のチャネルに対する、デバイスによるアクセス競合のタイムラインを示す図。
【図４】[0029]本開示の様々な態様による、ライセンスされていない無線周波数スペクトル帯域の複数のチャネルに対する、デバイスによるアクセス競合のタイムラインを示す図。
【図５】[0030]本開示の様々な態様による、ライセンスされていない無線周波数スペクトル帯域の複数のチャネルに対する、デバイスによるアクセス競合のタイムラインを示す図。
【図６】[0031]本開示の様々な態様による、ライセンスされていない無線周波数スペクトル帯域の複数のチャネルに対する、デバイスによるアクセス競合のタイムラインを示す図。
【図７】[0032]本開示の様々な態様による、ワイヤレス通信において使用するための装置のブロック図。
【図８】[0033]本開示の様々な態様による、ワイヤレス通信において使用するための装置のブロック図。
【図９】[0034]本開示の様々な態様による、ワイヤレス通信において使用するための装置のブロック図。
【図１０】[0035]本開示の様々な態様による、ワイヤレス通信において使用するための基地局（たとえば、発展型ノードＢ（ｅＮＢ）の一部または全部を形成する基地局）のブロック図。
【図１１】[0036]本開示の様々な態様による、ワイヤレス通信において使用するためのＵＥのブロック図。
【図１２】[0037]本開示の様々な態様による、ワイヤレス通信のための方法の一例を示すフローチャート。
【図１３】[0038]本開示の様々な態様による、ワイヤレス通信のための方法の一例を示すフローチャート。
【図１４】[0039]本開示の様々な態様による、ワイヤレス通信のための方法の一例を示すフローチャート。
【図１５】[0040]本開示の様々な態様による、ワイヤレス通信のための方法の一例を示すフローチャート。
【図１６】[0041]本開示の様々な態様による、ワイヤレス通信のための方法の一例を示すフローチャート。
【詳細な説明】
【００２６】
[0042]ライセンスされていない無線周波数スペクトル帯域の複数のチャネルに対するアクセス競合を同期化および非同期化するための技法が記載される。いくつかの例では、ライセンスされていない無線周波数スペクトル帯域は、「第３世代パートナーシッププロジェクト」（３ＧＰＰ（登録商標））のロングタームエボリューション（ＬＴＥ（登録商標））通信またはＬＴＥアドバンスト（ＬＴＥ−Ａ）通信に使用され得る。ライセンスされていない無線周波数スペクトル帯域は、ライセンスされている（licensed）無線周波数スペクトル帯域と組み合わせて、またはそれとは無関係に使用され得る。ライセンスされている無線周波数スペクトル帯域は、無線周波数スペクトル帯域が１つまたは複数の用途のために１人または複数のユーザにライセンスされるので、送信装置がアクセス競合しない場合がある無線周波数スペクトル帯域であり得る。ライセンスされていない無線周波数スペクトル帯域は、デバイスがアクセスを競合し得る無線周波数スペクトル帯域（たとえば、Ｗｉ−Ｆｉ（登録商標）用途に利用可能な無線周波数スペクトル帯域、または同等共有方式もしくは優先度付け方式で（in an equally shared or prioritized manner）複数の事業者（operators）による使用に利用可能な無線周波数スペクトル帯域）であり得る。いくつかの例では、アクセス競合が同期化または非同期化されるチャネルは、拡張コンポーネントキャリア（ｅＣＣ）動作モード（たとえば、デバイスが４つまでの（または８つまでの）２０ＭＨｚチャネルの組合せ上で並行して送信または受信することができるモード）で使用されるチャネルを含み得る。複数のチャネルに対するアクセス競合がデバイスのために同期化されるとき、デバイスは、複数のチャネルに対するアクセスを競合している他のデバイスに対して、時分割多重化（ＴＤＭ）方式で複数のチャネルに対するアクセス競合に勝つことができる。複数のチャネルに対するアクセス競合がデバイスのために非同期化されるとき、デバイスは、１つまたは複数のチャネルの少なくとも１つの他のセットに対するアクセス競合に勝っている１つまたは複数の他のデバイスと並行して、１つまたは複数のチャネルの第１のセットに対するアクセス競合に勝つことができる。
【００２７】
[0043]以下の説明は例を与えるものであり、特許請求の範囲に記載される範囲、適用性、または例を限定するものではない。本開示の範囲から逸脱することなく、説明される要素の機能および構成において変更が行われ得る。様々な例は、必要に応じて、様々な手順またはコンポーネントを省略、置換、または追加し得る。たとえば、記載される方法は、記載される順序とは異なる順序で実施され得、様々なステップが追加、省略、または組み合わされ得る。また、いくつかの例に関して記載される技法は、他の例において組み合わされ得る。
【００２８】
[0044]図１は、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証、アクセス認可、トラッキング、インターネットプロトコル（ＩＰ）接続性、および他のアクセス機能、ルーティング機能、またはモビリティ機能を提供することができる。基地局１０５は、バックホールリンク１３２（たとえば、Ｓ１など）を通してコアネットワーク１３０とインターフェースすることができ、ＵＥ１１５との通信のための無線構成とスケジューリングとを実施することができるか、または基地局コントローラ（図示せず）の制御下で動作することができる。様々な例では、基地局１０５は、ワイヤードまたはワイヤレスの通信リンクであり得るバックホールリンク１３４（たとえば、Ｘ１など）を介して互いに直接的または（たとえば、コアネットワーク１３０を通して）間接的に通信することができる。
【００２９】
[0045]基地局１０５は、少なくとも１つの基地局アンテナを介してＵＥ１１５とワイヤレスに通信することができる。基地局サイトの各々は、それぞれの地理的カバレージエリア１１０に通信カバレージを提供することができる。いくつかの例では、基地局は、ベーストランシーバ基地局、無線基地局、アクセスポイント、無線トランシーバ、ノードＢ、ｅＮＢ、ホームノードＢ、ホームｅノードＢ、または他の何らかの適切な用語で呼ばれ得る。基地局１０５のための地理的カバレージエリア１１０は、カバレージエリアの一部分を構成するセクタに分割され得る（図示せず）。ワイヤレス通信システム１００は、異なるカバレージエリアをカバーする基地局１０５（たとえば、マクロセル基地局またはスモールセル基地局）を含み得る。異なる技術のための重複する地理的カバレージエリアが存在し得る。
【００３０】
[0046]いくつかの例では、ワイヤレス通信システム１００は、ＬＴＥ／ＬＴＥ−Ａネットワークを含み得る。ＬＴＥ／ＬＴＥ−Ａネットワークでは、ｅＮＢという用語は、基地局１０５（または１つもしくは複数の基地局１０５を含むエンティティ）を記載するために使用され得る。ワイヤレス通信システム１００は、異なるｅＮＢが様々な地理的領域にカバレージを提供する異種ＬＴＥ／ＬＴＥ−Ａネットワークであり得る。たとえば、各ｅＮＢまたは基地局は、マクロセル、スモールセル、または他のセルに通信カバレージを提供することができる。「セル」という用語は、コンテキストに応じて、基地局、基地局に関連するキャリアもしくはコンポーネントキャリア、またはキャリアもしくは基地局のカバレージエリア（たとえば、セクタなど）を記載するために使用され得る３ＧＰＰ用語である。
【００３１】
[0047]マクロセルは、比較的大きい地理的エリア（たとえば、半径数キロメートル）をカバーすることができ、ネットワークプロバイダのサービスに加入しているＵＥ１１５による無制限アクセスを可能にすることができる。スモールセルは、マクロセルと比較して、マクロセルと同じかまたは異なる（たとえば、ライセンスされている、ライセンスされていないなどの）無線周波数スペクトル内で動作することができる低電力基地局であり得る。スモールセルは、様々な例によれば、ピコセル、フェムトセル、およびマイクロセルを含み得る。ピコセルは、比較的より小さい地理的エリアをカバーすることができ、ネットワークプロバイダのサービスに加入しているＵＥ１１５による無制限アクセスを可能にすることができる。フェムトセルも、比較的小さい地理的エリア（たとえば、自宅）をカバーすることができ、フェムトセルとの関連を有するＵＥ１１５（たとえば、限定加入者グループ（ＣＳＧ）内のＵＥ１１５、自宅内のユーザのためのＵＥ１１５など）による制限付きアクセスを提供することができる。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（たとえば、２つ、３つ、４つなど）のセル（たとえば、コンポーネントキャリア）をサポートすることができる。
【００３２】
[0048]ワイヤレス通信システム１００は、同期動作または非同期動作をサポートすることができる。同期動作の場合、基地局１０５は同様のフレームタイミングを有し得、異なる基地局からの送信は時間的にほぼアラインされ（be approximately aligned）得る。非同期動作の場合、基地局は異なるフレームタイミングを有し得、異なる基地局からの送信は時間的にアラインされない場合がある。本明細書に記載される技法は、同期動作または非同期動作のいずれかに使用され得る。
【００３３】
[0049]様々な開示される例のうちのいくつかに適応することができる通信ネットワークは、階層化プロトコルスタックに従って動作するパケットベースネットワークであり得る。ユーザプレーンでは、ベアラまたは物理データコンバージェンスプロトコル（ＰＤＣＰ）レイヤにおける通信は、ＩＰベースであり得る。媒体アクセス制御（ＭＡＣ）レイヤは、論理チャネル上で通信するためにパケットのセグメンテーションおよびリアセンブリを実施することができ、トランスポートチャネルへの論理チャネルの優先度ハンドリングおよび多重化も実施することができる。ＭＡＣレイヤはまた、ＭＡＣレイヤにおける再送信を提供してリンク効率を改善するために、ハイブリッド自動再送要求（ＨＡＲＱ）を使用することもできる。制御プレーンでは、無線リソース制御（ＲＲＣ）プロトコルレイヤは、ＵＥと、基地局１０５またはユーザプレーンデータ用の無線ベアラをサポートするコアネットワーク１３０との間のＲＲＣ接続の確立と構成と維持とを提供することができる。物理（ＰＨＹ）レイヤにおいて、トランスポートチャネルは、物理チャネルにマッピングされ得る。
【００３４】
[0050]ＵＥ１１５は、ワイヤレス通信システム１００全体にわたって分散され得、各ＵＥ１１５は固定またはモバイルであり得る。ＵＥ１１５はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語を含むか、または当業者によってそのように呼ばれ得る。ＵＥ１１５は、ワイヤレス通信デバイス、パーソナルコンピュータ（たとえば、ラップトップコンピュータ、ネットブックコンピュータ、タブレットコンピュータなど）、ハンドヘルドデバイス、携帯電話、スマートフォン、コードレスフォン、ワイヤレスモデム、ワイヤレスローカルループ（ＷＬＬ）局、携帯情報端末（ＰＤＡ）、デジタルビデオレコーダ（ＤＶＲ）、インターネット機器、ゲームコンソール、電子リーダーなどであり得る。ＵＥ１１５は、マクロｅＮＢ、スモールセルｅＮＢ、リレー基地局などを含む、様々な基地局およびネットワーク機器と通信することが可能であり得る。ＵＥ１１５はまた、セルラーＲＡＴ（たとえば、ＬＴＥ／ＬＴＥ−Ａ  ＲＡＴ）、Ｗｉ−Ｆｉ  ＲＡＴ、または他のＲＡＴなどの、様々な無線アクセス技術（ＲＡＴ）を使用して通信することも可能であり得る。
【００３５】
[0051]ワイヤレス通信システム１００のいくつかの例では、基地局１０５またはＵＥ１１５は、アンテナダイバーシティ方式を採用して、基地局１０５とＵＥ１１５との間の通信品質と信頼性とを改善するための複数のアンテナを含み得る。追加または代替として、基地局１０５またはＵＥ１１５は、同じかまたは異なるコード化データを搬送する複数の空間レイヤを送信するために、マルチパス環境を利用することができる、多入力多出力（ＭＩＭＯ）技法を採用し得る。
【００３６】
[0052]基地局１０５およびＵＥ１１５は、ＣＣ、レイヤ、チャネルなどとも呼ばれ得るキャリアを使用して、通信リンク１２５上で通信することができる。「コンポーネントキャリア」またはＣＣという用語は、キャリアアグリゲーション（ＣＡ）モードにおいて動作するＵＥ１１５によって利用される複数のキャリアの各々を指す場合があり、システム帯域幅の他の部分とは別個であり得る。たとえば、ＣＣは、独立して、または他のコンポーネントキャリアと組み合わせて利用されることが可能である、比較的狭い帯域幅のキャリアであり得る。各ＣＣは、ＬＴＥ規格のリリース８またはリリース９に基づく分離キャリア（an isolated carrier）と同じ能力を提供することができる。複数のＣＣは、より大きい帯域幅と、たとえば、より高いデータレートとをいくつかのＵＥ１１５に提供するために、アグリゲートされるかまたは同時に利用され得る。このようにして、個々のＣＣは、レガシーＵＥ（たとえば、ＬＴＥリリース８またはリリース９を実装するＵＥ１１５）との後方互換性があり得るが、他のＵＥ１１５（たとえば、リリース８／９後のＬＴＥバージョンを実装するＵＥ１１５）は、マルチキャリアモードにおいて複数のＣＣを用いて構成される場合がある。ダウンリンク（ＤＬ）送信に使用されるキャリアはＤＬ  ＣＣと呼ばれ得、アップリンク（ＵＬ）送信に使用されるキャリアはＵＬ  ＣＣと呼ばれ得る。ＵＥ１１５は、キャリアアグリゲーションのために、複数のＤＬ  ＣＣと１つまたは複数のＵＬ  ＣＣとを用いて構成され得る。各キャリアは、制御情報（たとえば、基準信号、制御チャネルなど）、オーバーヘッド情報、データなどを送信するために使用され得る。
【００３７】
[0053]ＵＥ１１５は、複数のキャリアを利用して単一の基地局と通信することができ、様々なキャリア上で同時に複数の基地局と通信することもできる。基地局の各セルは、ＵＬ  ＣＣとＤＬ  ＣＣとを含み得る。基地局１０５のための各サービングセルの地理的カバレージエリア１１０は異なり得る（たとえば、異なる周波数帯域上のＣＣは、異なる経路損失を経験し得る）。いくつかの例では、あるキャリアは、１次セル（ＰＣｅｌｌ）によってサービスされ得る、ＵＥ１１５のための１次キャリアまたは１次コンポーネントキャリア（ＰＣＣ）として指定される。１次セルは、ＵＥごとに上位レイヤ（higher layers）（たとえば、ＲＲＣなど）によって半静的に（semi-statically）構成され得る。物理アップリンク制御チャネル（ＰＵＣＣＨ）上で送信される、何らかのアップリンク制御情報（ＵＣＩ）、たとえば、肯定応答（ＡＣＫ）／否定応答（ＮＡＫ）、チャネル品質インジケータ（ＣＱＩ）、およびスケジューリング情報は、ＰＣｅｌｌによって搬送される。２次セル（ＳＣｅｌｌ）によってサービスされ得る、２次キャリアまたは２次コンポーネントキャリア（ＳＣＣ）として、さらなるキャリアが指定され得る。２次セルは、同様に、ＵＥごとに半静的に構成され得る。場合によっては、ＳＣｅｌｌは、ＰＣｅｌｌと同じ制御情報を含まないか、またはそれを送信するように構成されない場合がある。
【００３８】
[0054]場合によっては、ワイヤレス通信システム１００は、１つまたは複数のｅＣＣを利用し得る。ＳＣｅｌｌは、たとえば、ｅＣＣであり得る。ｅＣＣは、より広い帯域幅と、より短いシンボル持続時間と、より短い送信時間間隔（ＴＴＩ）と、修正された制御チャネル構成とを含む、１つまたは複数の特徴によって特徴づけられ得る。場合によっては、ｅＣＣは、ＣＡモードまたはデュアル接続モード（すなわち、複数のサービングセルが準最適なバックホールリンクを有するとき）での動作に関連付けられ得る。ｅＣＣはまた、（２つ以上の事業者が、無線周波数スペクトル帯域を使用することを許可された場合）ライセンスされていない無線周波数スペクトル帯域において使用するために構成され得る。広帯域幅によって特徴づけられるｅＣＣは、全帯域幅を監視することが可能でないか、または（たとえば、電力を節約するために）限られた帯域幅を使用することを選好するＵＥ１１５によって利用され得る、１つまたは複数のセグメントを含み得る。
【００３９】
[0055]場合によっては、ｅＣＣは、他のコンポーネントキャリア（ＣＣ）とは異なるシンボル持続時間を利用することができ、これは、他のＣＣのシンボル持続時間と比較して短縮された（reduced）シンボル持続時間の使用を含み得る。より短いシンボル持続時間は、増加したサブキャリア間隔に関連する。ｅＣＣを利用するＵＥ１１５または基地局１０５などのデバイスは、短縮されたシンボル持続時間（たとえば、１６．６７μｓ）において広帯域信号（たとえば、２０、４０、６０、８０Ｍｈｚなど）を送信することができる。ｅＣＣ内のＴＴＩは、１つまたは複数のシンボルから構成され得る。場合によっては、ＴＴＩ持続時間（すなわち、ＴＴＩ内のシンボルの数）は可変であり得る。
【００４０】
[0056]いくつかの例では、基地局１０５またはＵＥ１１５は、チャネル上で送信する前に、ライセンスされていない無線周波数スペクトル帯域のチャネルに対するアクセスを競合し得る。いくつかの例では、基地局１０５またはＵＥ１１５はまた、チャネル上で受信する前に、ライセンスされていない無線周波数スペクトル帯域のチャネルに対するアクセスを競合し得る。図２Ａおよび図２Ｂは、デバイス（たとえば、基地局１０５またはＵＥ１１５）がライセンスされていない無線周波数スペクトル帯域のチャネルに対するアクセスを競合し得る、２つの異なる方法を示す。
【００４１】
[0057]図２Ａは、本開示の様々な態様による、ライセンスされていない無線周波数スペクトル帯域のチャネルに対する、デバイスによるアクセス競合のタイムライン２００を示す。いくつかの例では、デバイスは、図１を参照して記載された基地局１０５またはＵＥ１１５のうちの１つであり得る。
【００４２】
[0058]時間２０５において、デバイスはＣＣＡスロット２１０の間にＣＣＡ手順を開始することができる。ＣＣＡ手順は、ＣＣＡスロット２１０の間にライセンスされていない無線周波数スペクトル帯域のチャネル上のエネルギーを検出することを含み得る。検出されたエネルギーがエネルギーしきい値以内である（たとえば、エネルギーしきい値を下回る）とデバイスが決定するとき、チャネルは使用のためにクリアである（clear）と考えることができ、デバイスは、チャネル上でチャネル予約信号２１５（たとえば、ＣＵＢＳ）を送信することができる。チャネル予約信号２１５の送信は、ネットワーク割振りベクトル（ＮＡＶ）またはチャネル予約信号２１５に含まれる他のインジケータにおいて示された時間の間、チャネル予約信号２１５を受信するデバイスにチャネルにアクセスすることを控えさせることにより、次の送信機会２２０のためにチャネルを予約することができる。チャネル予約信号２１５の送信に続いて、デバイスは、次の送信機会２２０の間、ライセンスされていない無線周波数スペクトル帯域のチャネル上で送信または受信することができる。
【００４３】
[0059]ＣＣＡスロット２１０の間にチャネル上で検出されたエネルギーがエネルギーしきい値を超えるとデバイスが決定するとき、チャネルはビジーであると考えることができ、デバイスは、ある時間期間の間、チャネルにアクセスすることを控えることができる。
【００４４】
[0060]図２Ｂは、本開示の様々な態様による、ライセンスされていない無線周波数スペクトル帯域のチャネルに対する、デバイスによるアクセス競合のタイムライン２５０を示す。いくつかの例では、デバイスは、図１を参照して記載された基地局１０５またはＵＥ１１５のうちの１つであり得る。
【００４５】
[0061]時間２５５において、デバイスはｅＣＣＡ手順を開始することができる。ｅＣＣＡ手順は、ＣＣＡスロット２６０、２６５、２７０などを含む複数のＣＣＡスロット上で実施され得る。ｅＣＣＡ手順は、カウンタの値をランダムな数Ｎに初期化し、次いで、（ＣＣＡスロット２６０、２６５、２７０などを含む）複数のＣＣＡスロットの各々の間にチャネル上のエネルギーを検出することを含み得る。ＣＣＡスロットの間に検出されたエネルギーがエネルギーしきい値以内である（たとえば、エネルギーしきい値を下回る）と決定すると、デバイスは、カウンタの値を減分し得る。ＣＣＡスロットの間に検出されたエネルギーがエネルギーしきい値を超えると決定すると、デバイスは、カウンタの値を減分しない場合がある。
【００４６】
[0062]カウンタが最終カウント（たとえば、ゼロ）に達するとき、チャネルは使用のためにクリアであると考えることができ、デバイスは、チャネル上でチャネル予約信号２７５（たとえば、ＣＵＢＳ）を送信することができる。チャネル予約信号２７５の送信は、ＮＡＶまたはチャネル予約信号２７５に含まれる他のインジケータにおいて示された時間の間、チャネル予約信号２７５を受信するデバイスにチャネルにアクセスすることを控えさせることにより、次の送信機会２８０のためにチャネルを予約することができる。チャネル予約信号２７５の送信に続いて、デバイスは、次の送信機会２８０の残りの間、ライセンスされていない無線周波数スペクトル帯域のチャネル上で送信または受信することができる。例として、図２Ｂは、次の送信機会２８０内の時間２８５においてチャネルに対するアクセス競合に勝つデバイスを示す。
【００４７】
[0063]図２Ａおよび図２Ｂは、デバイスがライセンスされていない無線周波数スペクトル帯域の単一のチャネルに対するアクセスをどのように競合し得るかを示す。しかしながら、いくつかの例では、デバイスは、並行してライセンスされていない無線周波数スペクトル帯域の複数のチャネルに対するアクセスを競合し得る。複数のチャネルに対するアクセスを競合するとき、デバイスは、同期的または非同期的に複数のチャネルに対するアクセスを競合し得る。デバイスが同期的に複数のチャネルに対するアクセスを競合するとき、デバイスはチャネルのすべてに対するアクセス競合に勝つことができ、このようにして、デバイスの送信帯域幅または受信帯域幅を最大化する。しかしながら、チャネルのうちのいずれか１つに対するアクセス競合を失うこと（losing）は、デバイスがチャネルのすべてに対するアクセス競合に勝つことを妨げる場合があり、このようにして、デバイスがチャネル上で送信または受信することを妨げる。デバイスが非同期的に複数のチャネルに対するアクセスを競合するとき、デバイスはチャネルのうちの少なくとも１つに対するアクセス競合に勝つその機会を増やすことができるが、デバイスが第２のチャネルに対するアクセス競合に勝つ少し前に第１のチャネルに対するアクセス競合に勝つことは、デバイスが最適な数のチャネル上で送信または受信することを妨げる場合がある。したがって、複数のチャネルに対するアクセス競合を同期化することと非同期化することとの間のバランスが有用であり得る。
【００４８】
[0064]図３は、本開示の様々な態様による、ライセンスされていない無線周波数スペクトル帯域の複数のチャネルに対する、デバイスによるアクセス競合のタイムライン３００を示す。いくつかの例では、デバイスは、図１を参照して記載された基地局１０５またはＵＥ１１５のうちの１つであり得る。
【００４９】
[0065]例として、複数のチャネルは、第１のチャネル３０５と、第２のチャネル３１０と、第３のチャネル３１５と、第４のチャネル３２０とを含み得る。同様に例として、複数のカウンタは、複数のチャネルに対するアクセスを競合するために使用され得、第１のカウンタは第１のチャネル３０５に関連付けられ、第２のカウンタは第２のチャネル３１０に関連付けられ、第３のカウンタは第３のチャネル３１５に関連付けられ、第４のカウンタは第４のチャネル３２０に関連付けられる。チャネルに関連付けられたカウンタの値は、図３に示された時間間隔の最初において、時間間隔内に示されている。たとえば、ＣＣＡスロット３３０の最初における第１のカウンタの値は、ＣＣＡスロット３３０と第１のチャネル３０５用のタイムラインとの交点内に示されたように、１である。
【００５０】
[0066]時間３２５において、デバイスは、第１の送信機会３４０のために、並行して複数のチャネルの各々に対するアクセスを競合し得る。デバイスがチャネルのいずれかに対して進行中のｅＣＣＡ手順の最中にないと仮定すると、第１のチャネル３０５、第２のチャネル３１０、第３のチャネル３１５、および第４のチャネル３２０用のカウンタ（たとえば、第１のカウンタ、第２のカウンタ、第３のカウンタ、および第４のカウンタ）は、同じ値に初期化され得、その値は１であり得る。同じ値および１へのカウンタの初期化は、デバイスがデバイスのエネルギー検出範囲内の複数のチャネルに対するアクセスを競合する唯一のデバイスである可能性が高いという仮定に基づき得る。カウンタの値を１に初期化することに加えて、それぞれのＣＣＡ手順は、チャネルの各々に対して実施され得る。ＣＣＡ手順は、図２Ａを参照して記載されたように、ＣＣＡスロット３３０の間に実施され得る。例として、図３は、ＣＣＡ手順を実施した後（すなわち、ＣＣＡスロット３３０に続く時間間隔において、第１のカウンタ、第２のカウンタ、第３のカウンタ、および第４のカウンタの値はゼロである）、複数のチャネルの各々に対するアクセス競合に勝ったデバイスを示す。
【００５１】
[0067]第１の送信機会３４０のための複数のチャネルに対するアクセス競合に勝った後、デバイスは、チャネルの各々でチャネル予約信号３３５を送信することができる。チャネル予約信号３３５の送信に続いて、デバイスは、第１の送信機会３４０の間、ライセンスされていない無線周波数スペクトル帯域の複数のチャネル上で送信または受信することができる。
【００５２】
[0068]第１の送信機会３４０に続いて、時間３４５において、デバイスは、第２の送信機会３５５のために、並行して複数のチャネルの各々に対するアクセスを競合し得る。第２の送信機会３５５は、第１の送信機会３４０の直後にくる場合があるか、あるいは（たとえば、１つもしくは複数の他の送信機会により、またはデバイスによる複数のチャネルに対するアクセスがない期間により）第１の送信機会３４０から時間的に（in time）分離される場合がある。例として、デバイスはチャネルの各々に対してｅＣＣＡ手順を実施するように示される。ｅＣＣＡ手順の各々は、図２Ｂを参照して記載されたように、複数のＣＣＡスロット上で実施され得る。
【００５３】
[0069]図示されたように、カウンタ（たとえば、第１のカウンタ、第２のカウンタ、第３のカウンタ、および第４のカウンタ）の各々は、同じ値Ｎ（たとえば、Ｎ＝６）に初期化され得る。代替例では、カウンタは同じ値または異なる値に初期化され得る（たとえば、第１のカウンタはランダムな値Ｎ１に初期化され得、第２のカウンタはランダムな値Ｎ２に初期化され得、第３のカウンタはランダムな値Ｎ３に初期化され得、第４のカウンタはランダムな値Ｎ４に初期化され得る）。カウンタ（たとえば、第１のカウンタ、第２のカウンタ、第３のカウンタ、および第４のカウンタ）の値は、カウンタに対応するチャネルがＣＣＡスロットの間にエネルギーしきい値以内のエネルギーを有すると決定されるか、またはエネルギーしきい値を超えるエネルギーを有すると決定されるかに応じて、ＣＣＡスロットの間に決定または維持され得る。
【００５４】
[0070]１つまたは複数のチャネルの第１のセットがＣＣＡスロットの間クリアであると決定され、１つまたは複数のチャネルの第２のセットがＣＣＡスロットの間ビジーであると決定されるとき、１つまたは複数のチャネルの第１のセットに対応するカウンタは、ＣＣＡスロットの間減分され得、１つまたは複数のチャネルの第２のセットに対応するカウンタは、ＣＣＡスロットの間減分されない場合がある。これにより、１つまたは複数のカウンタが他のカウンタの前に最終カウント（たとえば、ゼロ）に達する結果になり得る。これが起こるとき、デバイスは、最終カウントに達した（１つまたは複数の）カウンタに対応する（１つまたは複数の）チャネルに対するアクセス競合に勝ち得るが、１つまたは複数の他のチャネルに対するアクセス競合に勝たない場合がある。代替として、カウンタのすべてが一緒に最終カウントに達するとき、デバイスは、並行してチャネルのすべてに対するアクセス競合に勝つことができる。例として、図３は、第２の送信機会３５５のために、第１のチャネル３０５および第２のチャネル３１０に対するアクセス競合に勝ったが、第３のチャネル３１５および第４のチャネル３２０に対するアクセス競合に勝っていないデバイスを示す。第２の送信機会３５５のために、第１のチャネル３０５および第２のチャネル３１０に対するアクセス競合に勝つと、デバイスは、第１のチャネル３０５および第２のチャネル３１０の各々でチャネル予約信号３５０を送信することができる。
【００５５】
[0071]いくつかの条件下では、並行してライセンスされていない無線周波数スペクトル帯域の複数のチャネルに対するアクセスを競合する際に使用されるカウンタを同期化または非同期化することが有用であり得る。カウンタの同期化は、比較的小さい時間遅延が、ライセンスされていない無線周波数スペクトル帯域の多く（またはすべて）のチャネルに対するアクセス競合に勝つことをもたらし得ることが考えられる（または起こり得る）ときに、デバイスの送信帯域幅または受信帯域幅を増大させる際に有用であり得る。カウンタの非同期化は、複数のデバイスが並行してライセンスされていない無線周波数スペクトル帯域に対するアクセスを競合していることが考えられる（または起こり得る）ときに、公平性を実現する（およびチャネル当たりの送信電力を改善する）際に有用であり得る。カウンタの同期化および非同期化の例が、図４〜図６を参照して記載される。
【００５６】
[0072]図４は、本開示の様々な態様による、ライセンスされていない無線周波数スペクトル帯域の複数のチャネルに対する、デバイスによるアクセス競合のタイムライン４００を示す。いくつかの例では、デバイスは、図１を参照して記載された基地局１０５またはＵＥ１１５のうちの１つであり得る。
【００５７】
[0073]例として、複数のチャネルは、第１のチャネル４０５と、第２のチャネル４１０と、第３のチャネル４１５と、第４のチャネル４２０とを含み得る。同様に例として、複数のカウンタは、複数のチャネルに対するアクセスを競合するために使用され得、第１のカウンタは第１のチャネル４０５に関連付けられ、第２のカウンタは第２のチャネル４１０に関連付けられ、第３のカウンタは第３のチャネル４１５に関連付けられ、第４のカウンタは第４のチャネル４２０に関連付けられる。チャネルに関連付けられたカウンタの値は、図４に示された時間間隔の最初において、時間間隔内に示されている。たとえば、第１のＣＣＡスロット４３０の最初における第１のカウンタの値は、第１のＣＣＡスロット４３０と第１のチャネル４０５用のタイムラインとの交点内に示されたように、６である。
【００５８】
[0074]時間４２５において、デバイスは、送信機会４４５のために、並行して複数のチャネルの各々に対するアクセスを競合し得る。例として、デバイスはチャネルの各々に対してｅＣＣＡ手順を実施するように示される。ｅＣＣＡ手順の各々は、図２Ｂを参照して記載されたように、複数のＣＣＡスロット上で実施され得る。図示されたように、カウンタ（たとえば、第１のカウンタ、第２のカウンタ、第３のカウンタ、および第４のカウンタ）の各々は、ｅＣＣＡ手順を開始する前に同じ値Ｎ（たとえば、Ｎ＝６）に初期化され得、このようにして、カウンタとｅＣＣＡ手順の実施とを同期化する。
【００５９】
[0075]ｅＣＣＡ手順を実施している間、デバイスは、第１のＣＣＡスロット４３０および第２のＣＣＡスロット４３５の各々の間に、チャネル（たとえば、第１のチャネル４０５、第２のチャネル４１０、第３のチャネル４１５、および第４のチャネル４２０）の各々でエネルギーしきい値以内のエネルギーを検出し得る。このようにして、カウンタ（たとえば、第１のカウンタ、第２のカウンタ、第３のカウンタ、および第４のカウンタ）は、第１のＣＣＡスロット４３０および第２のＣＣＡスロット４３５の各々の間に減分され得、カウンタの各々は、第３のＣＣＡスロット４４０の最初において４の値を有し得る。第３のＣＣＡスロット４４０の間、チャネルの各々でエネルギーしきい値を超えるエネルギーが検出され得る。エネルギーはチャネルの各々で同時に検出されるので、デバイスが１つの他のデバイスとともに複数のチャネルに対するアクセスを競合していることが想定され得、カウンタは第１のグループのカウンタおよび第２のグループのカウンタに分割され得る。例として、第１のカウンタおよび第２のカウンタは第１のグループのカウンタに含まれ得、第３のカウンタおよび第４のカウンタは第２のグループのカウンタに含まれ得る。分割に続いて、１つのグループのカウンタ（たとえば、第１のグループのカウンタ）のうちのカウンタは、それらの現在値を保持し得、他のグループのカウンタ（たとえば、第２のグループのカウンタ）のうちのカウンタは、新しい値に調整され（たとえば、増やされまたは減らされ）得る。例として、第２のグループのカウンタのうちのカウンタは、図４では２だけ増やされる。カウンタのグループ化は、事前構成されるか、またはランダムであり得る。
【００６０】
[0076]カウンタを第１のグループのカウンタおよび第２のグループのカウンタに分割することに続いて、ｅＣＣＡ手順は続行し得る。しかしながら、デバイスが別のデバイスと並行して複数のチャネルに対するアクセスを競合しているとき、カウンタの分割（または非同期化）により、デバイスが第１のグループのカウンタに関連付けられたチャネル（すなわち、より低いカウントを有するカウンタに関連付けられたチャネル）に対するアクセス競合に勝つことが比較的起こり得るようになり、他のデバイスが第２のグループのカウンタに関連付けられたチャネル（すなわち、より高いカウントを有するカウンタに関連付けられたチャネル）に対するアクセス競合に勝つことが比較的起こり得るようになる。２つのデバイスが並行して異なるグループのカウンタに対するアクセス競合に勝つ場合、２つのデバイスはＦＤＭモードで動作することができ、それにより、チャネルアクセスにおけるスループットと公平性の平衡（balancing）を保つ。
【００６１】
[0077]いくつかの例では、図４に示された分割は、チャネルアクセスの試行当たり１度（たとえば、並行ｅＣＣＡ手順のセット当たり１度）実施され得る。
【００６２】
[0078]図５は、本開示の様々な態様による、ライセンスされていない無線周波数スペクトル帯域の複数のチャネルに対する、デバイスによるアクセス競合のタイムライン５００を示す。いくつかの例では、デバイスは、図１を参照して記載された基地局１０５またはＵＥ１１５のうちの１つであり得る。
【００６３】
[0079]例として、複数のチャネルは、第１のチャネル５０５と、第２のチャネル５１０と、第３のチャネル５１５と、第４のチャネル５２０とを含み得る。同様に例として、複数のカウンタは、複数のチャネルに対するアクセスを競合するために使用され得、第１のカウンタは第１のチャネル５０５に関連付けられ、第２のカウンタは第２のチャネル５１０に関連付けられ、第３のカウンタは第３のチャネル５１５に関連付けられ、第４のカウンタは第４のチャネル５２０に関連付けられる。チャネルに関連付けられたカウンタの値は、図５に示された時間間隔の最初において、時間間隔内に示されている。たとえば、ＣＣＡスロット５３０の最初における第１のカウンタの値は、ＣＣＡスロット５３０と第１のチャネル５０５用のタイムラインとの交点内に示されたように、５である。
【００６４】
[0080]時間５２５において、デバイスは、送信機会５４０のために、並行して複数のチャネルの各々に対するアクセスを競合することができる。例として、デバイスはチャネルの各々に対してｅＣＣＡ手順を実施するように示される。ｅＣＣＡ手順の各々は、図２Ｂを参照して記載されたように、複数のＣＣＡスロット上で実施され得る。図示されたように、カウンタ（たとえば、第１のカウンタ、第２のカウンタ、第３のカウンタ、および第４のカウンタ）の各々は、ｅＣＣＡ手順を開始する前に、同じ値または異なる値に初期化され得る。たとえば、第１のカウンタは値Ｎ１（たとえば、Ｎ１＝５）に初期化され得、第２のカウンタは値Ｎ２（たとえば、Ｎ２＝６）に初期化され得、第３のカウンタは値Ｎ３（たとえば、Ｎ３＝５）に初期化され得、第４のカウンタは値Ｎ４（たとえば、Ｎ４＝６）に初期化され得る。代替として、カウンタは同じ値に初期化され得る。カウンタは、たとえば、前の送信機会の間のチャネル上の送信が同時に終了したとき、同じ値に初期化され得る。
【００６５】
[0081]図５に示されたように、再同期化スロット５３５が定義され得る。いくつかの例では、再同期化スロット５３５は、１つまたは複数のＣＣＡスロット（たとえば、５つのＣＣＡスロット）を含み得る。いくつかの例では、再同期化スロット５３５は、周期的再同期化スロットのセットのうちの１つであり得る（たとえば、再同期化スロット５３５は、その上で複数のｅＣＣＡ手順が実施されるＣＣＡスロットの数に応じて、別の再同期化スロットが後に続く場合があるなど）。他の例では、再同期化スロット５３５は非周期的であり得る。再同期化スロット５３５内のＣＣＡスロットの各々の間に、デバイスは、チャネルの各々でのエネルギーがエネルギーしきい値以内であるかどうかを検出することができる。検出されたエネルギーがエネルギーしきい値以内であるとき、チャネルの各々および再同期化スロット５３５内に含まれるＣＣＡスロットの各々について、デバイスは、再同期化スロット５３５の最後に、カウンタ（たとえば、第１のカウンタ、第２のカウンタ、第３のカウンタ、および第４のカウンタ）のすべてを現在カウンタ値の最大値（たとえば、１）に設定することができる。このようにして、示された例では、カウンタの各々は１に設定され得る。代替として、カウンタの各々は、現在カウンタ値の最小値などの異なる値に設定され得る。しかしながら、カウンタをその現在値を下回る値に調整することは、欧州電気通信標準化機構（ＥＴＳＩ）によって指定されたＬＢＴプロトコルによって規定されたｅＣＣＡ規則に違反する。カウンタの値の調整に続いて、チャネルに対して実施されるｅＣＣＡ手順は続行し得る。
【００６６】
[0082]図５を参照して記載された再同期化は、ただ１つのデバイスがライセンスされていない無線周波数スペクトル帯域の複数のチャネルに対するアクセスを競合しているときのチャネル競合手順の高速同期化を提供する。しかしながら、ＣＣＡスロットの間のチャネル上の低エネルギーが、（ただ１つのデバイスが複数のチャネルに対するアクセスを競合していることを示す代わりに）他のデバイスの複数のチャネルに対するアクセス競合の短い休止を表すとき、再同期化は不要であり得る。
【００６７】
[0083]図６は、本開示の様々な態様による、ライセンスされていない無線周波数スペクトル帯域の複数のチャネルに対する、デバイスによるアクセス競合のタイムライン６００を示す。いくつかの例では、デバイスは、図１を参照して記載された基地局１０５またはＵＥ１１５のうちの１つであり得る。
【００６８】
[0084]例として、複数のチャネルは、第１のチャネル６０５と、第２のチャネル６１０と、第３のチャネル６１５と、第４のチャネル６２０とを含み得る。同様に例として、複数のカウンタは、複数のチャネルに対するアクセスを競合するために使用され得、第１のカウンタは第１のチャネル６０５に関連付けられ、第２のカウンタは第２のチャネル６１０に関連付けられ、第３のカウンタは第３のチャネル６１５に関連付けられ、第４のカウンタは第４のチャネル６２０に関連付けられる。チャネルに関連付けられたカウンタの値は、図６に示された時間間隔の最初において、時間間隔内に示されている。たとえば、ＣＣＡスロット６３０の最初における第１のカウンタの値は、ＣＣＡスロット６３０と第１のチャネル６０５用のタイムラインとの交点内に示されたように、４である。
【００６９】
[0085]時間６２５において、デバイスは、送信機会６４０のために、並行して複数のチャネルの各々に対するアクセスを競合し得る。例として、デバイスはチャネルの各々に対してｅＣＣＡ手順を実施するように示される。ｅＣＣＡ手順の各々は、図２Ｂを参照して記載されたように、複数のＣＣＡスロット上で実施され得る。図示されたように、カウンタ（たとえば、第１のカウンタ、第２のカウンタ、第３のカウンタ、および第４のカウンタ）の各々は、ｅＣＣＡ手順を開始する前に、同じ値または異なる値に初期化され得る。たとえば、第１のカウンタは値Ｎ１（たとえば、Ｎ１＝４）に初期化され得、第２のカウンタは値Ｎ２（たとえば、Ｎ２＝８）に初期化され得、第３のカウンタは値Ｎ３（たとえば、Ｎ３＝６）に初期化され得、第４のカウンタは値Ｎ４（たとえば、Ｎ４＝８）に初期化され得る。代替として、カウンタは同じ値に初期化され得る。カウンタは、たとえば、前の送信機会の間のチャネル上の送信が同時に終了したとき、同じ値に初期化され得る。いずれの例では、タイムライン６００は、カウンタ（たとえば、第１のカウンタ、第２のカウンタ、第３のカウンタ、および第４のカウンタ）がＣＣＡスロット６３５の間に２つ以上の異なる値に到達すると推定する。
【００７０】
[0086]ＣＣＡスロット６３５において、（第１のチャネル６０５に関連付けられた）第１のカウンタは、第１のカウンタの第１の最終カウント（たとえば、ゼロ）に達し得る。しかしながら、第１のチャネルに対するアクセス競合に勝ち、第１のチャネル上でチャネル予約信号を送信する代わりに、デバイスは、第１のチャネル上の送信を延期（たとえば、チャネル予約信号の送信を延期）し、再同期化フラグがセットされるかどうかを決定することができる。再同期化フラグがセットされるとき、デバイスは、第１のカウンタの現在値（たとえば、ゼロ）を次に最も低い現在カウンタ値（たとえば、２、第３のカウンタの値）に設定することができる。チャネルに対して実施されるｅＣＣＡ手順は、次いで、続行され得る。再同期化フラグがセットされないとき、デバイスは、第１のチャネル上でチャネル予約信号を送信し、その後、第１のチャネル上だけで送信または受信することができる。
【００７１】
[0087]再同期化フラグは、より少ない数のデバイス（たとえば、２つのデバイス）がより多い数のデバイス（たとえば、３つまたは４つのデバイス）とライセンスされていない無線周波数スペクトル帯域のチャネルに対するアクセスを競合している可能性がより高いことを示すためにセットされ得、このようにして、デバイスは、並行してライセンスされていない無線周波数スペクトル帯域の複数のチャネル（たとえば、１つのチャネルではなく２つのチャネル）に対するアクセス競合に勝ち、並行して２つのチャネルに対するアクセス競合に勝つように試みることにより、送信帯域幅または受信帯域幅を増大させることができる場合がある。たとえば、２つのデバイスが並行して４つのチャネルに対するアクセスを競合しているとき、公平性および可能性（probability）は、デバイスの各々が並行して４つのチャネルのうちの２つにアクセスすることができるべきであることを要求する。
【００７２】
[0088]いくつかの例では、再同期化フラグは初期化手順の間にセットされ得、２つのデバイスがライセンスされていない無線周波数スペクトル帯域のチャネルに対するアクセスを競合していることが、３つまたは４つのデバイスがライセンスされていない無線周波数スペクトル帯域に対するアクセスを競合していることよりも可能性が高いことを想定する。他の例では、デバイスは、評価期間（たとえば、２５ミリ秒のウィンドウ）内に、デバイスが並行してライセンスされていない無線周波数スペクトル帯域のあらかじめ決められた数のチャネル（たとえば、複数のチャネルの半分）上で送信する時間の割合（a fraction of time）を計算することができる。時間の割合がしきい値を満たすとき、再同期化フラグがセットされ得る。時間の割合がしきい値を満たさないとき、再同期化フラグがクリアされ得る。いくつかの例では、（たとえば、４つのデバイスが並行して４つのチャネルに対するアクセスを競合しているとき、デバイスが４つのチャネルのうちの２つに対するアクセス競合に勝つ時間の割合は約５０％であると予想され、２つのデバイスが並行して４つのチャネルに対するアクセスを競合しているとき、デバイスが４つのチャネルのうちの２つに対するアクセス競合に勝つ時間の割合は１００％に近いと予想されるので）しきい値は約７０％であり得る。
【００７３】
[0089]他の例では、再同期化フラグは、比較エネルギー分析に少なくとも部分的に基づき得、または、比較エネルギー分析は、デバイスがライセンスされていない無線周波数スペクトル帯域の第１のチャネル上の送信を延期するべきかどうかを決定するために、再同期化フラグの代わりに使用され得る。比較エネルギー分析によれば、デバイスは複数のチャネル上で検出されたエネルギーを比較することができる。検出されたエネルギーが同じであるか、または定義された範囲内であるとき、デバイスは、１つの他のデバイスが複数のチャネルに対するアクセスを競合していると推論することができる。検出されたエネルギーが異なる（たとえば、定義された範囲内よりも大きい）とき、デバイスは、複数の他のデバイスが複数のチャネルに対するアクセスを競合していると推論することができる。他の例では、再同期化フラグは、ｅＣＣＡ成功の履歴分析に少なくとも部分的に基づいてセットされ得る。たとえば、送信機会の間の単一のチャネルに対するアクセスに続いて、他のチャネルに対するｅＣＣＡの成功／失敗は、他のチャネルに対するｅＣＣＡ手順が同時にクリアされたかどうかを決定するために分析され得る。ｅＣＣＡ手順が同時にクリアされた場合、合計２つのデバイスが合計３つまたは４つのデバイスに対して、並行してライセンスされていない無線周波数スペクトル帯域に対するアクセスを競合していた可能性が高く、再同期化フラグがセットされ得る。
【００７４】
[0090]図７は、本開示の様々な態様による、ワイヤレス通信において使用するための装置７０５のブロック図７００を示す。装置７０５は、図１を参照して記載された基地局１０５またはＵＥ１１５のうちの１つまたは複数の態様の一例であり得る。装置７０５はまた、プロセッサであるか、またはプロセッサを含み得る。装置７０５は、受信機７１０、ワイヤレス通信マネージャ７２０、または送信機７３０を含み得る。これらのコンポーネントの各々は、互いに通信し得る。
【００７５】
[0091]装置７０５のコンポーネントは、適用可能な機能の一部または全部をハードウェアで実施するように適応された１つまたは複数の特定用途向け集積回路（ＡＳＩＣ）を使用して、個別にまたはまとめて実装され（be implemented）得る。代替として、機能は、１つまたは複数の集積回路上で、１つまたは複数の他の処理ユニット（またはコア）によって実施され得る。他の例では、当技術分野で知られている任意の方式でプログラムされ得る、他のタイプの集積回路（たとえば、構造化／プラットフォームＡＳＩＣ、フィールドプログラマブルゲートアレイ（ＦＰＧＡ）、システムオンチップ（ＳｏＣ）、および／または他のタイプのセミカスタムＩＣ）が使用され得る。各コンポーネントの機能はまた、全体的または部分的に、１つまたは複数の汎用プロセッサまたは特定用途向けプロセッサによって実行されるようにフォーマットされた、メモリに組み込まれた命令を用いて実装され得る。
【００７６】
[0092]いくつかの例では、受信機７１０は、ライセンスされている無線周波数スペクトル帯域（たとえば、無線周波数スペクトル帯域が１つまたは複数の用途のために１人または複数のユーザにライセンスされるので、送信装置がアクセスを競合しない場合がある無線周波数スペクトル帯域）、あるいはライセンスされていない無線周波数スペクトル帯域（たとえば、送信装置がアクセスを競合し得る無線周波数スペクトル帯域（たとえば、Ｗｉ−Ｆｉ用途に利用可能な無線周波数スペクトル帯域、または同等共有方式もしくは優先度付け方式で複数の事業者による使用に利用可能な無線周波数スペクトル帯域））上で、伝送（transmissions）を受信するように動作可能な少なくとも１つの無線周波数（ＲＦ）受信機などの、少なくとも１つのＲＦ受信機を含み得る。いくつかの例では、ライセンスされている無線周波数スペクトル帯域またはライセンスされていない無線周波数スペクトル帯域は、たとえば、図１、図２、図３、図４、図５、または図６を参照して記載されたように、ＬＴＥ／ＬＴＥ−Ａ通信に使用され得る。受信機７１０は、図１を参照して記載されたワイヤレス通信システム１００の１つまたは複数の通信リンクなどの、ワイヤレス通信システムの１つまたは複数の通信リンクを介して、様々なタイプのデータまたは制御信号（すなわち、伝送）を受信するために使用され得る。通信リンクは、第１の無線周波数スペクトル帯域または第２の無線周波数スペクトル帯域上で確立され得る。
【００７７】
[0093]いくつかの例では、送信機７３０は、ライセンスされている無線周波数スペクトル帯域またはライセンスされていない無線周波数スペクトル帯域上で送信するように動作可能な少なくとも１つのＲＦ送信機などの、少なくとも１つのＲＦ送信機を含み得る。送信機７３０は、図１を参照して記載されたワイヤレス通信システム１００の１つまたは複数の通信リンクなどの、ワイヤレス通信システムの１つまたは複数の通信リンクを介して、様々なタイプのデータまたは制御信号（すなわち、伝送）を送信するために使用され得る。通信リンクは、ライセンスされている無線周波数スペクトル帯域またはライセンスされていない無線周波数スペクトル帯域上で確立され得る。
【００７８】
[0094]いくつかの例では、ワイヤレス通信マネージャ７２０は、装置７０５のためのワイヤレス通信の１つまたは複数の態様を管理するために使用され得る。いくつかの例では、ワイヤレス通信マネージャ７２０は、チャネル競合コンポーネント７３５を含み得る。チャネル競合コンポーネント７３５は、無線周波数スペクトル帯域の複数のチャネルのうちの１つまたは複数に対するアクセスを競合するために使用され得る。いくつかの例では、チャネル競合コンポーネント７３５は、並行して複数のチャネル（たとえば、第１のチャネルおよび第２のチャネル）のうちの２つ以上に対するアクセスを競合し得る。２つ以上のチャネルに対するアクセス競合に勝つと、装置７０５は、並行して２つ以上のチャネル上で送信または受信することができ、このようにして、スループットを増大させる。いくつかの例では、チャネルに対するアクセスを競合することは、チャネルのために構成されたｅＣＣＡ手順に含まれる複数のＣＣＡ手順を実施することと、ＣＣＡ手順の間にチャネルがクリアであると決定されるたびに、チャネルに関連付けられたカウンタを減分することとを含み得る。次いで、チャネルに関連付けられたカウンタが最終カウントに達すると、チャネルに対するアクセス競合に勝つことができる。他の例では、チャネルに対するアクセスを競合することは、単一のＣＣＡスロットの間に単一のＣＣＡ手順を実施することを含み得る。いくつかの例では、チャネル競合コンポーネント７３５は、カウンタマネージャ７４０、チャネル測定コンポーネント７４５、またはチャネルシンクロナイザ／デシンクロナイザ７５０を含み得る。
【００７９】
[0095]いくつかの例では、カウンタマネージャ７４０は、ライセンスされていない無線周波数スペクトル帯域の複数のチャネルに対するアクセスを競合するために使用される複数のカウンタを識別するために使用され得る。複数のカウンタの各々は、ライセンスされていない無線周波数スペクトル帯域の複数のチャネルのうちのそれぞれのチャネルに関連付けられ得る。
【００８０】
[0096]いくつかの例では、チャネル測定コンポーネント７４５は、ライセンスされていない無線周波数スペクトル帯域の複数のチャネルのうちの少なくとも１つのチャネルを測定するために使用され得る。測定は、少なくとも１つのチャネルに対するアクセス競合に関連付けられ得、いくつかの例では、少なくとも１つのチャネルに対するアクセス競合の一部として実施され得る。
【００８１】
[0097]いくつかの例では、チャネルシンクロナイザ／デシンクロナイザ７５０は、カウンタマネージャ７４０によって管理される複数のカウンタの少なくともサブセットを同期化または非同期化するために使用され得る。同期化または非同期化は、チャネル測定コンポーネント７４５によって実施された測定に少なくとも部分的に基づき得る。いくつかの例では、同期化または非同期化は、時間間隔（たとえば、ＣＣＡスロットまたは再同期化スロット）の間の少なくとも１つのチャネルの測定値に少なくとも部分的に基づき得る。いくつかの例では、複数のカウンタのすべては、同期化または非同期化され得る。
【００８２】
[0098]装置７０５のいくつかの例では、チャネルシンクロナイザ／デシンクロナイザ７５０によって実施される同期化または非同期化は、チャネル測定コンポーネント７４５によって実施された測定が第１のチャネルおよび第２のチャネルのうちの少なくとも１つで第１のエネルギーしきい値を上回るチャネルエネルギーを示すとき、少なくとも第１のチャネルに対するアクセス競合に関連付けられた第１のカウンタと、第２のチャネルに対するアクセス競合に関連付けられた第２のカウンタとを非同期化することを含み得る。装置７０５の他の例では、チャネルシンクロナイザ／デシンクロナイザ７５０によって実施される同期化または非同期化は、チャネル測定コンポーネント７４５によって実施された測定が第１のチャネルおよび第２のチャネルのうちの少なくとも１つで第２のエネルギーしきい値を下回るチャネルエネルギーを示すとき、少なくとも第１のカウンタと第２のカウンタとを同期化することを含み得る。第１のエネルギーしきい値および第２のエネルギーしきい値は、同じエネルギーしきい値または異なるエネルギーしきい値であり得る。
【００８３】
[0099]図８は、本開示の様々な態様による、ワイヤレス通信において使用するための装置８０５のブロック図８００を示す。装置８０５は、図１を参照して記載された基地局１０５またはＵＥ１１５のうちの１つもしくは複数の態様、または図７を参照して記載された装置７０５の態様の一例であり得る。装置８０５はまた、プロセッサであるか、またはプロセッサを含み得る。装置８０５は、受信機８１０、ワイヤレス通信マネージャ８２０、または送信機８３０を含み得る。これらのコンポーネントの各々は、互いに通信し得る。
【００８４】
[0100]装置８０５のコンポーネントは、適用可能な機能の一部または全部をハードウェアで実施するように適応された１つまたは複数のＡＳＩＣを使用して、個別にまたはまとめて実装され得る。代替として、機能は、１つまたは複数の集積回路上で、１つまたは複数の他の処理ユニット（またはコア）によって実施され得る。他の例では、当技術分野で知られている任意の方式でプログラムされ得る、他のタイプの集積回路（たとえば、構造化／プラットフォームＡＳＩＣ、ＦＰＧＡ、ＳｏＣ、および／または他のタイプのセミカスタムＩＣ）が使用され得る。各コンポーネントの機能はまた、全体的または部分的に、１つまたは複数の汎用プロセッサまたは特定用途向けプロセッサによって実行されるようにフォーマットされた、メモリに組み込まれた命令を用いて実装され得る。
【００８５】
[0101]いくつかの例では、受信機８１０は、ライセンスされている無線周波数スペクトル帯域（たとえば、無線周波数スペクトル帯域が特定の用途のために特定のユーザにライセンスされるので、送信装置がアクセスを競合しない場合がある無線周波数スペクトル帯域）、あるいはライセンスされていない無線周波数スペクトル帯域（たとえば、送信装置がアクセスを競合し得る無線周波数スペクトル帯域（たとえば、Ｗｉ−Ｆｉ用途に利用可能な無線周波数スペクトル帯域、または同等共有方式もしくは優先度付け方式で複数の事業者による使用に利用可能な無線周波数スペクトル帯域））上で、伝送を受信するように動作可能な少なくとも１つのＲＦ受信機などの、少なくとも１つのＲＦ受信機を含み得る。いくつかの例では、ライセンスされている無線周波数スペクトル帯域またはライセンスされていない無線周波数スペクトル帯域は、たとえば、図１、図２、図３、図４、図５、または図６を参照して記載されたように、ＬＴＥ／ＬＴＥ−Ａ通信に使用され得る。受信機８１０は、場合によっては、ライセンスされている無線周波数スペクトル帯域およびライセンスされていない無線周波数スペクトル帯域のための個別の受信機を含み得る。個別の受信機は、いくつかの例では、ライセンスされている無線周波数スペクトル帯域上で通信するためのＬＴＥ／ＬＴＥ−Ａ受信機（たとえば、ライセンスされているＲＦスペクトル帯域用ＬＴＥ／ＬＴＥ−Ａ受信機８１２）、およびライセンスされていない無線周波数スペクトル帯域上で通信するためのＬＴＥ／ＬＴＥ−Ａ受信機（たとえば、ライセンスされていないＲＦスペクトル帯域用ＬＴＥ／ＬＴＥ−Ａ受信機８１４）の形態をとり得る。ライセンスされているＲＦスペクトル帯域用ＬＴＥ／ＬＴＥ−Ａ受信機８１２またはライセンスされていないＲＦスペクトル帯域用ＬＴＥ／ＬＴＥ−Ａ受信機８１４を含む受信機８１０は、図１を参照して記載されたワイヤレス通信システム１００の１つまたは複数の通信リンクなどの、ワイヤレス通信システムの１つまたは複数の通信リンクを介して、様々なタイプのデータまたは制御信号（すなわち、伝送）を受信するために使用され得る。通信リンクは、ライセンスされている無線周波数スペクトル帯域またはライセンスされていない無線周波数スペクトル帯域上で確立され得る。
【００８６】
[0102]いくつかの例では、送信機８３０は、ライセンスされている無線周波数スペクトル帯域またはライセンスされていない無線周波数スペクトル帯域上で送信するように動作可能な少なくとも１つのＲＦ送信機などの、少なくとも１つのＲＦ送信機を含み得る。送信機８３０は、場合によっては、ライセンスされている無線周波数スペクトル帯域およびライセンスされていない無線周波数スペクトル帯域のための個別の送信機を含み得る。個別の送信機は、いくつかの例では、ライセンスされている無線周波数スペクトル帯域上で通信するためのＬＴＥ／ＬＴＥ−Ａ送信機（たとえば、ライセンスされているＲＦスペクトル帯域用ＬＴＥ／ＬＴＥ−Ａ送信機８３２）、およびライセンスされていない無線周波数スペクトル帯域上で通信するためのＬＴＥ／ＬＴＥ−Ａ送信機（たとえば、ライセンスされていないＲＦスペクトル帯域用ＬＴＥ／ＬＴＥ−Ａ送信機８３４）の形態をとり得る。ライセンスされているＲＦスペクトル帯域用ＬＴＥ／ＬＴＥ−Ａ送信機８３２またはライセンスされていないＲＦスペクトル帯域用ＬＴＥ／ＬＴＥ−Ａ送信機８３４を含む送信機８３０は、図１を参照して記載されたワイヤレス通信システム１００の１つまたは複数の通信リンクなどの、ワイヤレス通信システムの１つまたは複数の通信リンクを介して、様々なタイプのデータまたは制御信号（すなわち、伝送）を送信するために使用され得る。通信リンクは、ライセンスされている無線周波数スペクトル帯域またはライセンスされていない無線周波数スペクトル帯域上で確立され得る。
【００８７】
[0103]いくつかの例では、ワイヤレス通信マネージャ８２０は、装置８０５のためのワイヤレス通信の１つまたは複数の態様を管理するために使用され得る。いくつかの例では、ワイヤレス通信マネージャ８２０は、チャネル競合コンポーネント８３５を含み得る。チャネル競合コンポーネント８３５は、無線周波数スペクトル帯域の複数のチャネルのうちの１つまたは複数に対するアクセスを競合するために使用され得る。いくつかの例では、チャネル競合コンポーネント８３５は、並行して複数のチャネル（たとえば、第１のチャネルおよび第２のチャネル）のうちの２つ以上に対するアクセスを競合し得る。２つ以上のチャネルに対するアクセス競合に勝つと、装置８０５は、並行して２つ以上のチャネル上で送信または受信することができ、このようにして、スループットを増大させる。いくつかの例では、チャネルに対するアクセスを競合することは、チャネルのために構成されたｅＣＣＡ手順に含まれる複数のＣＣＡ手順を実施することと、ＣＣＡ手順の間にチャネルがクリアであると決定されるたびに、チャネルに関連付けられたカウンタを減分することとを含み得る。次いで、チャネルに関連付けられたカウンタが最終カウントに達すると、チャネルに対するアクセス競合に勝つことができる。他の例では、チャネルに対するアクセスを競合することは、単一のＣＣＡスロットの間に単一のＣＣＡ手順を実施することを含み得る。いくつかの例では、チャネル競合コンポーネント８３５は、カウンタマネージャ８４０、再同期化フラグマネージャ８７０、チャネル測定コンポーネント８４５、またはチャネルシンクロナイザ／デシンクロナイザ８５０を含み得る。
【００８８】
[0104]いくつかの例では、カウンタマネージャ８４０は、ライセンスされていない無線周波数スペクトル帯域の複数のチャネルに対するアクセスを競合するために使用される複数のカウンタを識別するために使用され得る。複数のカウンタの各々は、ライセンスされていない無線周波数スペクトル帯域の複数のチャネルのうちのそれぞれのチャネルに関連付けられ得る。いくつかの例では、カウンタマネージャは、カウンタ初期化コンポーネント８５５を含み得る。カウンタ初期化コンポーネント８５５は、様々な条件下で複数のカウンタを初期化するために使用され得る。初期化の間、複数のカウンタの各々は、同じ値または異なる値（たとえば、異なるランダムな値）に初期化され得る。
【００８９】
[0105]いくつかの例では、再同期化フラグマネージャ８７０は、再同期化フラグの設定（setting）またはクリア（clearing）を管理するために使用され得る。再同期化フラグの設定（setting）は、いくつかの条件下で、チャネルシンクロナイザ／デシンクロナイザ８５０に複数のカウンタのうちの２つ以上のカウンタを再同期化させることができる。いくつかの例では、再同期化フラグマネージャ８７０は、初期化手順の間に再同期化フラグをセットすることができる。他の例では、再同期化フラグマネージャ８７０は、装置８０５が並行してライセンスされていない無線周波数スペクトル帯域のあらかじめ決められた数のチャネル（たとえば、複数のチャネルの半分）上で送信する時間の割合を計算することができる。時間の割合は、評価期間のために計算され得る。時間の割合がしきい値を満たすとき、再同期化フラグがセットされ得る。時間の割合がしきい値を満たさないとき、再同期化フラグがクリアされ得る。
【００９０】
[0106]いくつかの例では、チャネル測定コンポーネント８４５は、ライセンスされていない無線周波数スペクトル帯域の複数のチャネルのうちの少なくとも１つのチャネルを測定するために使用され得る。測定は、少なくとも１つのチャネルに対するアクセス競合に関連付けられ得、いくつかの例では、少なくとも１つのチャネルに対するアクセス競合の一部として実施され得る。
【００９１】
[0107]いくつかの例では、チャネルシンクロナイザ／デシンクロナイザ８５０は、カウンタマネージャ８４０によって管理される複数のカウンタの少なくともサブセットを同期化または非同期化するために使用され得る。同期化または非同期化は、チャネル測定コンポーネント８４５によって実施された測定に少なくとも部分的に基づき得る。いくつかの例では、同期化または非同期化は、時間間隔（たとえば、ＣＣＡスロットまたは再同期化スロット）の間の少なくとも１つのチャネルの測定値に基づき得る。いくつかの例では、複数のカウンタのすべては、同期化または非同期化され得る。いくつかの例では、チャネルシンクロナイザ／デシンクロナイザ８５０は、カウンタスプリッタ８６０またはカウンタリシンクロナイザ８６５を含み得る。
【００９２】
[0108]カウンタスプリッタ８６０は、時間間隔（たとえば、ＣＣＡスロット）の間にチャネル測定コンポーネント８４５により複数のチャネルについて取得された測定値が、複数のチャネルの各々で第１のエネルギーしきい値を上回るチャネルエネルギーを示すかどうかを決定するために使用され得る。測定が複数のチャネルの各々で第１のエネルギーしきい値を上回るチャネルエネルギーを示すとき、カウンタスプリッタ８６０は、複数のカウンタを第１のグループのカウンタおよび第２のグループのカウンタに分割するために使用され得る。いくつかの例では、１つのグループのカウンタ（たとえば、第１のグループのカウンタ）のうちのカウンタは、分割に続いてそれらの現在値を保持し得、他のグループのカウンタ（たとえば、第２のグループのカウンタ）のうちのカウンタは、新しい値に調整され（たとえば、増やされまたは減らされ）得る。
【００９３】
[0109]カウンタリシンクロナイザ８６５は、時間間隔（たとえば、再同期化スロット）の間にチャネル測定コンポーネント８４５により複数のチャネルについて取得された測定値が、少なくとも第１のチャネルおよび第２のチャネルで第２のエネルギーしきい値を下回るチャネルエネルギーを示すかどうかを決定するために使用され得る。測定が少なくとも第１のチャネルおよび第２のチャネルで第２のエネルギーしきい値を下回るチャネルエネルギーを示すとき、カウンタリシンクロナイザ８６５は、少なくとも第１のチャネルに対するアクセス競合に関連付けられた第１のカウンタと、第２のチャネルに対するアクセス競合に関連付けられた第２のカウンタとを同期化するために使用され得る。いくつかの例では、第１のカウンタおよび第２のカウンタは、第１のカウンタの第１の現在値および第２のカウンタの第２の現在値の最大値に同期化され得る。カウンタリシンクロナイザ８６５がチャネルエネルギーを比較する第２のエネルギーしきい値は、カウンタスプリッタ８６０がチャネルエネルギーを比較する第１のエネルギーしきい値と同じであるか、またはそれとは異なり得る。
【００９４】
[0110]カウンタリシンクロナイザ８６５はまた、第２のカウンタが第２のカウンタの第２の最終カウントに達する前に、第１のカウンタが第１のカウンタの第１の最終カウントに達するかどうかを決定するために使用され得る。第２のカウンタが第２の最終カウントに達する前に第１のカウンタが第１の最終カウントに達するとき、カウンタリシンクロナイザ８６５は、再同期化フラグがセットされるかどうかを決定することができる。再同期化フラグがセットされる場合、カウンタリシンクロナイザ８６５は、第１のカウンタの第１の現在値を第２のカウンタの第２の現在値に設定することができ、第１のチャネル上の送信を延期する。たとえば、第１の現在値がゼロであり、第２の現在値が２である場合、第１の現在値は２に設定され得る。第１のカウンタの第１の現在値を第２のカウンタの第２の現在値に設定した後、少なくとも第１のチャネルおよび第２のチャネルに対するアクセス競合は続行し得る。第２のカウンタが第２の最終カウントに達する前に第１のカウンタが第１の最終カウントに達し、再同期化フラグがセットされないとカウンタリシンクロナイザ８６５が決定するとき、カウンタリシンクロナイザ８６５は、チャネル競合コンポーネント８３５が第２のチャネルではなく第１のチャネルに対するアクセス競合の勝利を示すことを可能にすることができる。
【００９５】
[0111]図９は、本開示の様々な態様による、ワイヤレス通信において使用するための装置９０５のブロック図９００を示す。装置９０５は、図１を参照して記載された基地局１０５またはＵＥ１１５のうちの１つもしくは複数の態様、または図７を参照して記載された装置７０５の態様の一例であり得る。装置９０５はまた、プロセッサであるか、またはプロセッサを含み得る。装置９０５は、受信機９１０、ワイヤレス通信マネージャ９２０、または送信機９３０を含み得る。これらのコンポーネントの各々は、互いに通信し得る。
【００９６】
[0112]装置９０５のコンポーネントは、適用可能な機能の一部または全部をハードウェアで実施するように適応された１つまたは複数のＡＳＩＣを使用して、個別にまたはまとめて実装され得る。代替として、機能は、１つまたは複数の集積回路上で、１つまたは複数の他の処理ユニット（またはコア）によって実施され得る。他の例では、当技術分野で知られている任意の方式でプログラムされ得る、他のタイプの集積回路（たとえば、構造化／プラットフォームＡＳＩＣ、ＦＰＧＡ、ＳｏＣ、および／または他のタイプのセミカスタムＩＣ）が使用され得る。各コンポーネントの機能はまた、全体的または部分的に、１つまたは複数の汎用プロセッサまたは特定用途向けプロセッサによって実行されるようにフォーマットされた、メモリに組み込まれた命令を用いて実装され得る。
【００９７】
[0113]いくつかの例では、受信機９１０は、ライセンスされている無線周波数スペクトル帯域（たとえば、無線周波数スペクトル帯域が特定の用途のために特定のユーザにライセンスされるので、送信装置がアクセスを競合しない場合がある無線周波数スペクトル帯域）、あるいはライセンスされていない無線周波数スペクトル帯域（たとえば、送信装置がアクセスを競合し得る無線周波数スペクトル帯域（たとえば、Ｗｉ−Ｆｉ用途に利用可能な無線周波数スペクトル帯域、または同等共有方式もしくは優先度付け方式で複数の事業者による使用に利用可能な無線周波数スペクトル帯域））上で、伝送を受信するように動作可能な少なくとも１つのＲＦ受信機などの、少なくとも１つのＲＦ受信機を含み得る。いくつかの例では、ライセンスされている無線周波数スペクトル帯域またはライセンスされていない無線周波数スペクトル帯域は、たとえば、図１、図２、図３、図４、図５、または図６を参照して記載されたように、ＬＴＥ／ＬＴＥ−Ａ通信に使用され得る。受信機９１０は、場合によっては、ライセンスされている無線周波数スペクトル帯域およびライセンスされていない無線周波数スペクトル帯域のための個別の受信機を含み得る。個別の受信機は、いくつかの例では、ライセンスされている無線周波数スペクトル帯域上で通信するためのＬＴＥ／ＬＴＥ−Ａ受信機（たとえば、ライセンスされているＲＦスペクトル帯域用ＬＴＥ／ＬＴＥ−Ａ受信機９１２）、およびライセンスされていない無線周波数スペクトル帯域上で通信するためのＬＴＥ／ＬＴＥ−Ａ受信機（たとえば、ライセンスされていないＲＦスペクトル帯域用ＬＴＥ／ＬＴＥ−Ａ受信機９１４）の形態をとり得る。ライセンスされているＲＦスペクトル帯域用ＬＴＥ／ＬＴＥ−Ａ受信機９１２またはライセンスされていないＲＦスペクトル帯域用ＬＴＥ／ＬＴＥ−Ａ受信機９１４を含む受信機９１０は、図１を参照して記載されたワイヤレス通信システム１００の１つまたは複数の通信リンクなどの、ワイヤレス通信システムの１つまたは複数の通信リンクを介して、様々なタイプのデータまたは制御信号（すなわち、伝送）を受信するために使用され得る。通信リンクは、ライセンスされている無線周波数スペクトル帯域またはライセンスされていない無線周波数スペクトル帯域上で確立され得る。
【００９８】
[0114]いくつかの例では、送信機９３０は、ライセンスされている無線周波数スペクトル帯域またはライセンスされていない無線周波数スペクトル帯域上で送信するように動作可能な少なくとも１つのＲＦ送信機などの、少なくとも１つのＲＦ送信機を含み得る。送信機９３０は、場合によっては、ライセンスされている無線周波数スペクトル帯域およびライセンスされていない無線周波数スペクトル帯域のための個別の送信機を含み得る。個別の送信機は、いくつかの例では、ライセンスされている無線周波数スペクトル帯域上で通信するためのＬＴＥ／ＬＴＥ−Ａ送信機（たとえば、ライセンスされているＲＦスペクトル帯域用ＬＴＥ／ＬＴＥ−Ａ送信機９３２）、およびライセンスされていない無線周波数スペクトル帯域上で通信するためのＬＴＥ／ＬＴＥ−Ａ送信機（たとえば、ライセンスされていないＲＦスペクトル帯域用ＬＴＥ／ＬＴＥ−Ａ送信機９３４）の形態をとり得る。ライセンスされているＲＦスペクトル帯域用ＬＴＥ／ＬＴＥ−Ａ送信機９３２またはライセンスされていないＲＦスペクトル帯域用ＬＴＥ／ＬＴＥ−Ａ送信機９３４を含む送信機９３０は、図１を参照して記載されたワイヤレス通信システム１００の１つまたは複数の通信リンクなどの、ワイヤレス通信システムの１つまたは複数の通信リンクを介して、様々なタイプのデータまたは制御信号（すなわち、伝送）を送信するために使用され得る。通信リンクは、ライセンスされている無線周波数スペクトル帯域またはライセンスされていない無線周波数スペクトル帯域上で確立され得る。
【００９９】
[0115]いくつかの例では、ワイヤレス通信マネージャ９２０は、装置９０５のためのワイヤレス通信の１つまたは複数の態様を管理するために使用され得る。いくつかの例では、ワイヤレス通信マネージャ８２０は、チャネル競合コンポーネント９３５を含み得る。チャネル競合コンポーネント９３５は、無線周波数スペクトル帯域の複数のチャネルのうちの１つまたは複数に対するアクセスを競合するために使用され得る。いくつかの例では、チャネル競合コンポーネント９３５は、並行して複数のチャネル（たとえば、第１のチャネルおよび第２のチャネル）のうちの２つ以上に対するアクセスを競合し得る。２つ以上のチャネルに対するアクセス競合に勝つと、装置９０５は、並行して２つ以上のチャネル上で送信または受信することができ、このようにして、スループットを増大させる。いくつかの例では、チャネルに対するアクセスを競合することは、チャネルのために構成されたｅＣＣＡ手順に含まれる複数のＣＣＡ手順を実施することと、ＣＣＡ手順の間にチャネルがクリアであると決定されるたびに、チャネルに関連付けられたカウンタを減分することとを含み得る。次いで、チャネルに関連付けられたカウンタが最終カウントに達するとき、チャネルに対するアクセス競合に勝つことができる。他の例では、チャネルに対するアクセスを競合することは、単一のＣＣＡスロットの間に単一のＣＣＡ手順を実施することを含み得る。いくつかの例では、チャネル競合コンポーネント９３５は、カウンタマネージャ９４０、チャネル測定コンポーネント９４５、チャネルシンクロナイザ／デシンクロナイザ９５０、ｅＣＣＡマネージャ９５５、またはＣＣＡマネージャ９６０を含み得る。
【０１００】
[0116]いくつかの例では、カウンタマネージャ９４０は、ライセンスされていない無線周波数スペクトル帯域の複数のチャネルに対するアクセスを競合するために使用される複数のカウンタを識別するために使用され得る。複数のカウンタの各々は、ライセンスされていない無線周波数スペクトル帯域の複数のチャネルのうちのそれぞれのチャネルに関連付けられ得る。
【０１０１】
[0117]いくつかの例では、チャネル測定コンポーネント９４５は、ライセンスされていない無線周波数スペクトル帯域の複数のチャネルのうちの少なくとも１つのチャネルを測定するために使用され得る。測定は、少なくとも１つのチャネルに対するアクセス競合に関連付けられ得、いくつかの例では、少なくとも１つのチャネルに対するアクセス競合の一部として実施され得る。
【０１０２】
[0118]いくつかの例では、チャネルシンクロナイザ／デシンクロナイザ９５０は、カウンタマネージャ９４０によって管理される複数のカウンタの少なくともサブセットを同期化または非同期化するために使用され得る。同期化または非同期化は、チャネル測定コンポーネント９４５によって実施された測定に少なくとも部分的に基づき得る。いくつかの例では、同期化または非同期化は、時間間隔（たとえば、ＣＣＡスロットまたは再同期化スロット）の間の少なくとも１つのチャネルの測定値に基づき得る。
【０１０３】
[0119]装置９０５のいくつかの例では、チャネルシンクロナイザ／デシンクロナイザ９５０によって実施される同期化または非同期化は、少なくとも第１のチャネルに対するアクセス競合に関連付けられた第１のカウンタと、第２のチャネルに対するアクセス競合に関連付けられた第２のカウンタとを非同期化することを含み得る。非同期化は、たとえば、チャネル測定コンポーネント９４５によって実施された測定が、第１のチャネルおよび第２のチャネルのうちの少なくとも１つで第１のエネルギーしきい値を上回るチャネルエネルギーを示すときに実施され得る。いくつかの例では、非同期化は、第１のチャネルおよび第２のチャネルの各々を１次チャネルにすることにより、ならびに、別個に第１のチャネルおよび第２のチャネルに対するアクセスを競合することにより（たとえば、第１のチャネルおよび第２のチャネルに対する個別のチャネル競合手順の間に第１のカウンタと第２のカウンタとを個別に管理することにより）、実施され得る。装置９０５の他の例では、チャネルシンクロナイザ／デシンクロナイザ９５０によって実施される同期化または非同期化は、チャネル測定コンポーネント９４５によって実施された測定が、第１のチャネルおよび第２のチャネルのうちの少なくとも１つで第２のエネルギーしきい値を下回るチャネルエネルギーを示すとき、少なくとも第１のカウンタと第２のカウンタとを同期化することを含み得る。いくつかの例では、同期化は、第２のチャネルを第１のチャネルに対する２次チャネルにすることにより（すなわち、第１のチャネルは１次チャネルである）、および第１のチャネルに対するアクセス競合の成功または失敗に少なくとも部分的に基づいて第２のチャネルに対するアクセスを競合することにより、実施され得る。第１のエネルギーしきい値および第２のエネルギーしきい値は、同じエネルギーしきい値または異なるエネルギーしきい値であり得る。
【０１０４】
[0120]いくつかの例では、ｅＣＣＡマネージャ９５５は、（たとえば、１次チャネルごとに個別のｅＣＣＡ手順を実施することにより）チャネルシンクロナイザ／デシンクロナイザ９５０によって１次チャネルに指定された各チャネルに対するアクセスを競合するために使用され得る。いくつかの例では、１次チャネルに対してｅＣＣＡ手順を実施することは、複数のＣＣＡスロットの各々の間に１次チャネル上のエネルギーを測定することを含み得る。
【０１０５】
[0121]いくつかの例では、ＣＣＡマネージャ９６０は、それに対するアクセス競合に勝った１次チャネルに対応する各２次チャネルに対するアクセスを競合するために使用され得る。２次チャネルに対するアクセス競合は、このようにして、対応する１次チャネルに対するアクセス競合に勝つことに依存する。２次チャネルに対するアクセス競合は、２次チャネルに対してＣＣＡ手順を実施することを含み得る。
【０１０６】
[0122]いくつかの例では、図７、図８、および／または図９を参照して記載された装置７０５、装置８０５、および／または装置９０５の態様が組み合わされ得る。
【０１０７】
[0123]図１０は、本開示の様々な態様による、ワイヤレス通信において使用するための基地局１００５（たとえば、ｅＮＢの一部または全部を形成する基地局）のブロック図１０００を示す。いくつかの例では、基地局１００５は、図１を参照して記載された基地局１０５のうちの１つもしくは複数の態様、または図７、図８、もしくは図９を参照して記載された装置７０５、装置８０５、もしくは装置９０５のうちの１つもしくは複数の態様の一例であり得る。基地局１００５は、図１、図２、図３、図４、図５、図６、図７、図８、または図９を参照して記載された基地局の技法および機能の少なくとも一部を実装または容易にするように構成され得る。
【０１０８】
[0124]基地局１００５は、基地局プロセッサ１０１０、基地局メモリ１０２０、（（１つまたは複数の）基地局トランシーバ１０５０によって表される）少なくとも１つの基地局トランシーバ、（（１つまたは複数の）基地局アンテナ１０５５によって表される）少なくとも１つの基地局アンテナ、または基地局ワイヤレス通信マネージャ１０６０を含み得る。基地局１００５はまた、基地局コミュニケータ１０３０またはネットワークコミュニケータ１０４０のうちの１つまたは複数を含み得る。これらのコンポーネントの各々は、１つまたは複数のバス１０３５を介して、直接的または間接的に互いに通信し得る。
【０１０９】
[0125]基地局メモリ１０２０は、ランダムアクセスメモリ（ＲＡＭ）または読取り専用メモリ（ＲＯＭ）を含み得る。基地局メモリ１０２０は、実行されるとき、ライセンスされていない無線周波数スペクトル帯域の複数のチャネルに対するアクセスを競合することと、複数のチャネルに関連付けられたカウンタを同期化または非同期化することであって、複数のカウンタが複数のチャネルに対するアクセスを競合するために使用される、同期化または非同期化することとを含む、ワイヤレス通信に関する本明細書に記載された様々な機能を基地局プロセッサ１０１０に実施させるように構成された命令を含んでいる、コンピュータ可読、コンピュータ実行可能コード１０２５を記憶することができる。代替として、コンピュータ実行可能コード１０２５は、基地局プロセッサ１０１０によって直接実行可能ではないが、（たとえば、コンパイルされ実行されるとき）本明細書に記載された様々な機能を基地局１００５に実施させるように構成され得る。
【０１１０】
[0126]基地局プロセッサ１０１０は、インテリジェントハードウェアデバイス（たとえば、中央処理装置（ＣＰＵ）、マイクロコントローラ、ＡＳＩＣなど）を含み得る。基地局プロセッサ１０１０は、（１つまたは複数の）基地局トランシーバ１０５０、基地局コミュニケータ１０３０、またはネットワークコミュニケータ１０４０を通して受信された情報を処理することができる。基地局プロセッサ１０１０はまた、（１つまたは複数の）アンテナ１０５５を通した送信用に（１つまたは複数の）トランシーバ１０５０に、１つもしくは複数の他の基地局（たとえば、基地局１００５−ａおよび基地局１００５−ｂ）への送信用に基地局コミュニケータ１０３０に、または、図１を参照して記載されたコアネットワーク１３０の１つもしくは複数の態様の一例であり得るコアネットワーク１０４５への送信用にネットワークコミュニケータ１０４０に送られるべき情報を処理することができる。基地局プロセッサ１０１０は、単独で、または、基地局ワイヤレス通信マネージャ１０６０とともに、ライセンスされている無線周波数スペクトル帯域またはライセンスされていない無線周波数スペクトル帯域上で通信すること（またはその上での通信を管理すること）の様々な態様を扱うことができる。ライセンスされている無線周波数スペクトル帯域は、送信装置がアクセスを競合しない場合がある無線周波数スペクトル帯域（たとえば、ＬＴＥ／ＬＴＥ−Ａ通信に使用可能なライセンスされている無線周波数スペクトル帯域などの、特定の用途のために特定のユーザにライセンスされた無線周波数スペクトル帯域）を含み得る。ライセンスされていない無線周波数スペクトル帯域は、送信装置がアクセスを競合し得る無線周波数スペクトル帯域（たとえば、Ｗｉ−Ｆｉ用途に利用可能な無線周波数スペクトル帯域、または同等共有方式もしくは優先度付け方式で複数の事業者による使用に利用可能な無線周波数スペクトル帯域）を含み得る。
【０１１１】
[0127]（１つまたは複数の）基地局トランシーバ１０５０は、パケットを変調し、変調されたパケットを送信用に（１つまたは複数の）基地局アンテナ１０５５に供給し、（１つまたは複数の）基地局アンテナ１０５５から受信されたパケットを復調するように構成されたモデムを含み得る。（１つまたは複数の）基地局トランシーバ１０５０は、いくつかの例では、１つまたは複数の基地局送信機および１つまたは複数の別個の基地局受信機として実装され得る。（１つまたは複数の）基地局トランシーバ１０５０は、ライセンスされている無線周波数スペクトル帯域またはライセンスされていない無線周波数スペクトル帯域における通信をサポートすることができる。（１つまたは複数の）基地局トランシーバ１０５０は、図１を参照して記載されたＵＥ１１５のうちの１つもしくは複数、または、図７、図８、もしくは図９を参照して記載された装置７０５、装置８０５、もしくは装置９０５のうちの１つもしくは複数などの、１つまたは複数のＵＥまたは装置と（１つまたは複数の）アンテナ１０５５を介して双方向に通信するように構成され得る。基地局１００５は、たとえば、複数の基地局アンテナ１０５５（たとえば、アンテナアレイ）を含み得る。基地局１００５は、ネットワークコミュニケータ１０４０を通してコアネットワーク１０４５と通信することができる。基地局１００５はまた、基地局コミュニケータ１０３０を使用して、基地局１００５−ａおよび基地局１００５−ｂなどの他の基地局と通信することができる。
【０１１２】
[0128]基地局ワイヤレス通信マネージャ１０６０は、ライセンスされている無線周波数スペクトル帯域またはライセンスされていない無線周波数スペクトル帯域上のワイヤレス通信に関する、図１、図２、図３、図４、図５、図６、図７、図８、または図９を参照して記載された技法または機能の一部または全部を実施または制御するように構成され得る。たとえば、基地局ワイヤレス通信マネージャ１０６０は、ライセンスされている無線周波数スペクトル帯域またはライセンスされていない無線周波数スペクトル帯域を使用して、補足ダウンリンクモード（たとえば、ライセンスト（licensed）支援アクセスモード）、キャリアアグリゲーションモード、またはスタンドアロンモードをサポートするように構成され得る。基地局ワイヤレス通信マネージャ１０６０は、ライセンスされている無線周波数スペクトル帯域においてＬＴＥ／ＬＴＥ−Ａ通信を扱うように構成されたライセンスされているＲＦスペクトル帯域用基地局ＬＴＥ／ＬＴＥ−Ａコンポーネント１０６５と、ライセンスされていない無線周波数スペクトル帯域においてＬＴＥ／ＬＴＥ−Ａ通信を扱うように構成されたライセンスされていないＲＦスペクトル帯域用基地局ＬＴＥ／ＬＴＥ−Ａコンポーネント１０７０とを含み得る。基地局ワイヤレス通信マネージャ１０６０もしくはその部分はプロセッサを含み得る、または、基地局ワイヤレス通信マネージャ１０６０の機能の一部もしくは全部は、基地局プロセッサ１０１０によって実施されるか、もしくは基地局プロセッサ１０１０とともに実施され得る。いくつかの例では、基地局ワイヤレス通信マネージャ１０６０は、図７、図８、または図９を参照して記載されたワイヤレス通信マネージャ７２０、８２０、または９２０の一例であり得る。
【０１１３】
[0129]図１１は、本開示の様々な態様による、ワイヤレス通信において使用するためのＵＥ１１１５のブロック図１１００を示す。ＵＥ１１１５は、パーソナルコンピュータ（たとえば、ラップトップコンピュータ、ネットブックコンピュータ、タブレットコンピュータなど）、携帯電話、ＰＤＡ、ＤＶＲ、インターネット機器、ゲームコンソール、電子リーダーなどに含まれるか、またはその一部であり得る。ＵＥ１１１５は、いくつかの例では、モバイル動作を容易にするために、小型バッテリなどの内部電源（図示せず）を有し得る。いくつかの例では、ＵＥ１１１５は、図１を参照して記載されたＵＥ１１５のうちの１つもしくは複数の態様、または、図７、図８、もしくは図９を参照して記載された装置７０５、装置８０５、もしくは装置９０５のうちの１つもしくは複数の態様の一例であり得る。ＵＥ１１１５は、図１、図２、図３、図４、図５、図６、図７、図８、または図９を参照して記載された、ＵＥまたは装置の技法および機能の少なくとも一部を実装するように構成され得る。
【０１１４】
[0130]ＵＥ１１１５は、ＵＥプロセッサ１１１０、ＵＥメモリ１１２０、（（１つまたは複数の）ＵＥトランシーバ１１３０によって表される）少なくとも１つのＵＥトランシーバ、（（１つまたは複数の）ＵＥアンテナ１１４０によって表される）少なくとも１つのＵＥアンテナ、またはＵＥワイヤレス通信マネージャ１１５０を含み得る。これらのコンポーネントの各々は、１つまたは複数のバス１１３５を介して、直接的または間接的に互いに通信し得る。
【０１１５】
[0131]ＵＥメモリ１１２０は、ＲＡＭまたはＲＯＭを含み得る。ＵＥメモリ１１２０は、実行されるとき、ライセンスされていない無線周波数スペクトル帯域の複数のチャネルに対するアクセスを競合することと、複数のチャネルに関連付けられたカウンタを同期化または非同期化することであって、複数のカウンタが複数のチャネルに対するアクセスを競合するために使用される、同期化または非同期化することとを含む、ワイヤレス通信に関する本明細書に記載された様々な機能をＵＥプロセッサ１１１０に実施させるように構成された命令を含んでいる、コンピュータ可読、コンピュータ実行可能コード１１２５を記憶することができる。代替として、コンピュータ実行可能コード１１２５は、ＵＥプロセッサ１１１０によって直接実行可能ではないが、（たとえば、コンパイルされ実行されるとき）本明細書に記載された様々な機能をＵＥ１１１５に実施させるように構成され得る。
【０１１６】
[0132]ＵＥプロセッサ１１１０は、インテリジェントハードウェアデバイス（たとえば、ＣＰＵ、マイクロコントローラ、ＡＳＩＣなど）を含み得る。ＵＥプロセッサ１１１０は、（１つまたは複数の）ＵＥトランシーバ１１３０を通して受信された情報、または（１つまたは複数の）ＵＥアンテナ１１４０を通した送信用に（１つまたは複数の）ＵＥトランシーバ１１３０に送られるべき情報を処理することができる。ＵＥプロセッサ１１１０は、単独で、または、ＵＥワイヤレス通信マネージャ１１５０とともに、ライセンスされている無線周波数スペクトル帯域またはライセンスされていない無線周波数スペクトル帯域上で通信すること（またはその上での通信を管理すること）の様々な態様を扱うことができる。ライセンスされている無線周波数スペクトル帯域は、送信装置がアクセスを競合しない場合がある無線周波数スペクトル帯域（たとえば、ＬＴＥ／ＬＴＥ−Ａ通信に使用可能なライセンスされている無線周波数スペクトル帯域などの、特定の用途のために特定のユーザにライセンスされた無線周波数スペクトル帯域）を含み得る。ライセンスされていない無線周波数スペクトル帯域は、送信装置がアクセスを競合し得る無線周波数スペクトル帯域（たとえば、Ｗｉ−Ｆｉ用途に利用可能な無線周波数スペクトル帯域、または同等共有方式もしくは優先度付け方式で複数の事業者による使用に利用可能な無線周波数スペクトル帯域）を含み得る。
【０１１７】
[0133]（１つまたは複数の）ＵＥトランシーバ１１３０は、パケットを変調し、変調されたパケットを送信用に（１つまたは複数の）ＵＥアンテナ１１４０に供給し、（１つまたは複数の）ＵＥアンテナ１１４０から受信されたパケットを復調するように構成されたモデムを含み得る。（１つまたは複数の）ＵＥトランシーバ１１３０は、いくつかの例では、１つまたは複数のＵＥ送信機および１つまたは複数の別個のＵＥ受信機として実装され得る。（１つまたは複数の）ＵＥトランシーバ１１３０は、ライセンスされている無線周波数スペクトル帯域またはライセンスされていない無線周波数スペクトル帯域における通信をサポートすることができる。（１つまたは複数の）ＵＥトランシーバ１１３０は、図１を参照して記載された基地局１０５のうちの１つもしくは複数、または図７、図８、もしくは図９を参照して記載された装置７０５、装置８０５、もしくは装置９０５のうちの１つもしくは複数と、（１つまたは複数の）ＵＥアンテナ１１４０を介して双方向に通信するように構成され得る。ＵＥ１１１５は単一のＵＥアンテナを含み得るが、ＵＥ１１１５が複数のＵＥアンテナ１１４０を含み得る例があり得る。
【０１１８】
[0134]ＵＥワイヤレス通信マネージャ１１５０は、ライセンスされている無線周波数スペクトル帯域またはライセンスされていない無線周波数スペクトル帯域上のワイヤレス通信に関する、図１、図２、図３、図４、図５、図６、図７、図８、または図９を参照して記載されたＵＥまたは装置の技法または機能の一部または全部を実施または制御するように構成され得る。たとえば、ＵＥワイヤレス通信マネージャ１１５０は、ライセンスされている無線周波数スペクトル帯域またはライセンスされていない無線周波数スペクトル帯域を使用して、補足ダウンリンクモード（たとえば、ライセンスト支援アクセスモード）、キャリアアグリゲーションモード、またはスタンドアロンモードをサポートするように構成され得る。ＵＥワイヤレス通信マネージャ１１５０は、ライセンスされている無線周波数スペクトル帯域においてＬＴＥ／ＬＴＥ−Ａ通信を扱うように構成されたライセンスされているＲＦスペクトル帯域用ＵＥ  ＬＴＥ／ＬＴＥ−Ａコンポーネント１１５５と、ライセンスされていない無線周波数スペクトル帯域においてＬＴＥ／ＬＴＥ−Ａ通信を扱うように構成されたライセンスされていないＲＦスペクトル帯域用ＵＥ  ＬＴＥ／ＬＴＥ−Ａコンポーネント１１６０とを含み得る。ＵＥワイヤレス通信マネージャ１１５０もしくはその部分はプロセッサを含み得るか、または、ＵＥワイヤレス通信マネージャ１１５０の機能の一部もしくは全部は、ＵＥプロセッサ１１１０により、もしくはＵＥプロセッサ１１１０とともに実施され得る。いくつかの例では、ＵＥワイヤレス通信マネージャ１１５０は、図７、図８、または図９を参照して記載されたワイヤレス通信マネージャ７２０、８２０、または９２０の一例であり得る。
【０１１９】
[0135]図１２は、本開示の様々な態様による、ワイヤレス通信のための方法１２００の一例を示すフローチャートである。明確にするために、方法１２００は、図１もしくは図１０を参照して記載された基地局１０５もしくは基地局１００５のうちの１つもしくは複数の態様、図１もしくは図１１を参照して記載されたＵＥ１１５もしくはＵＥ１１１５のうちの１つもしくは複数の態様、または、図７、図８、もしくは図９を参照して記載された装置７０５、装置８０５、もしくは装置９０５のうちの１つもしくは複数の態様を参照して、下記に記載される。いくつかの例では、基地局、ＵＥ、または装置は、下記に記載される機能を実施するように、基地局、ＵＥ、または装置の機能要素を制御するために、コードの１つまたは複数のセットを実行することができる。追加または代替として、基地局、ＵＥ、または装置は、専用ハードウェアを使用して、下記に記載される機能のうちの１つまたは複数を実施することができる。
【０１２０】
[0136]ブロック１２０５において、方法１２００は、ライセンスされていない無線周波数スペクトル帯域の複数のチャネルに対するアクセスを競合するために使用される複数のカウンタを識別することを含み得る。複数のカウンタの各々は、ライセンスされていない無線周波数スペクトル帯域の複数のチャネルのうちのそれぞれのチャネルに関連付けられ得る。ライセンスされていない無線周波数スペクトル帯域は、送信装置がアクセスを競合する無線周波数スペクトル帯域（たとえば、Ｗｉ−Ｆｉ用途に利用可能な無線周波数スペクトル帯域、または同等共有方式もしくは優先度付け方式で複数の事業者による使用に利用可能な無線周波数スペクトル帯域）を含み得る。ブロック１２０５における（１つまたは複数の）動作は、図７、図８、図９、図１０、または図１１を参照して記載された、ワイヤレス通信マネージャ７２０、８２０、もしくは９２０、基地局ワイヤレス通信マネージャ１０６０、またはＵＥワイヤレス通信マネージャ１１５０、あるいは、図７、図８、または図９を参照して記載された、チャネル競合コンポーネント７３５、８３５、もしくは９３５、またはカウンタマネージャ７４０、８４０、もしくは９４０を使用して実施され得る。
【０１２１】
[0137]ブロック１２１０において、方法１２００は、オプションとして、複数のカウンタを初期化することを含み得る。複数のカウンタの各々は、同じ値または異なる値（たとえば、異なるランダムな値）に初期化され得る。ブロック１２１０における（１つまたは複数の）動作は、図７、図８、図９、図１０、または図１１を参照して記載された、ワイヤレス通信マネージャ７２０、８２０、もしくは９２０、基地局ワイヤレス通信マネージャ１０６０、またはＵＥワイヤレス通信マネージャ１１５０、あるいは、図７、図８、または図９を参照して記載された、チャネル競合コンポーネント７３５、８３５、もしくは９３５、またはカウンタマネージャ７４０、８４０、もしくは９４０、あるいは、図８を参照して記載されたカウンタ初期化コンポーネント８５５を使用して実施され得る。
【０１２２】
[0138]ブロック１２１５において、方法１２００は、オプションとして、複数のチャネルのうちの少なくとも１つのチャネルに対するアクセス競合を開始することを含み得る。いくつかの例では、チャネルに対するアクセスを競合することは、チャネルのために構成されたｅＣＣＡ手順に含まれる複数のＣＣＡ手順を実施することと、ＣＣＡ手順の間にチャネルがクリアであると決定されるたびに、チャネルに関連付けられたカウンタを減分することとを含み得る。チャネルに関連付けられたカウンタが最終カウントに達すると、チャネルに対するアクセス競合に勝つことができる。ブロック１２１５における（１つまたは複数の）動作は、図７、図８、図９、図１０、または図１１を参照して記載された、ワイヤレス通信マネージャ７２０、８２０、もしくは９２０、基地局ワイヤレス通信マネージャ１０６０、またはＵＥワイヤレス通信マネージャ１１５０、あるいは、図７、図８、または図９を参照して記載された、チャネル競合コンポーネント７３５、８３５、または９３５を使用して実施され得る。
【０１２３】
[0139]ブロック１２２０において、方法１２００は、ライセンスされていない無線周波数スペクトル帯域の複数のチャネルのうちの少なくとも１つのチャネルを測定することを含み得る。測定は、ライセンスされていない無線周波数スペクトル帯域の少なくとも１つのチャネルに対するアクセス競合に関連付けられ得、いくつかの例では、アクセス競合の一部として実施され得る。いくつかの例では、少なくとも１つのチャネルは、複数のチャネルのすべてを含み得る。ブロック１２２０における（１つまたは複数の）動作は、図７、図８、図９、図１０、または図１１を参照して記載された、ワイヤレス通信マネージャ７２０、８２０、もしくは９２０、基地局ワイヤレス通信マネージャ１０６０、またはＵＥワイヤレス通信マネージャ１１５０、あるいは、図７、図８、または図９を参照して記載された、チャネル競合コンポーネント７３５、８３５、もしくは９３５、またはチャネル測定コンポーネント７４５、８４５、もしくは９４５を使用して実施され得る。
【０１２４】
[0140]ブロック１２２５において、方法１２００は、ブロック１２２０において実施された測定に少なくとも部分的に基づいて、複数のカウンタの少なくともサブセットを同期化または非同期化することを含み得る。いくつかの例では、同期化または非同期化は、時間間隔（たとえば、ＣＣＡスロットまたは再同期化スロット）の間の少なくとも１つのチャネルの測定値に基づき得る。いくつかの例では、複数のカウンタのすべては、同期化または非同期化され得る。ブロック１２２５における（１つまたは複数の）動作は、図７、図８、図９、図１０、または図１１を参照して記載された、ワイヤレス通信マネージャ７２０、８２０、もしくは９２０、基地局ワイヤレス通信マネージャ１０６０、またはＵＥワイヤレス通信マネージャ１１５０、あるいは、図７、図８、または図９を参照して記載された、チャネル競合コンポーネント７３５、８３５、もしくは９３５、またはチャネルシンクロナイザ／デシンクロナイザ７５０、８５０、もしくは９５０を使用して実施され得る。
【０１２５】
[0141]方法１２００のいくつかの例では、ブロック１２２５において実施される同期化または非同期化は、ブロック１２２０において、測定が第１のチャネルおよび第２のチャネルのうちの少なくとも１つで第１のエネルギーしきい値を上回るチャネルエネルギーを示すとき、少なくとも第１のチャネルに対するアクセス競合に関連付けられた第１のカウンタと、第２のチャネルに対するアクセス競合に関連付けられた第２のカウンタとを非同期化することを含み得る。方法１２００の他の例では、ブロック１２２５において実施される同期化または非同期化は、ブロック１２２０において、測定が第１のチャネルおよび第２のチャネルのうちの少なくとも１つで第２のエネルギーしきい値を下回るチャネルエネルギーを示すとき、少なくとも第１のカウンタと第２のカウンタとを同期化することを含み得る。第１のエネルギーしきい値および第２のエネルギーしきい値は、同じエネルギーしきい値または異なるエネルギーしきい値であり得る。
【０１２６】
[0142]このようにして、方法１２００はワイヤレス通信を提供することができる。方法１２００は、単に１つの実装形態であること、および、方法１２００の動作は、他の実装形態が可能であるように並べ替えられるか、または場合によっては修正される場合があることに留意されたい。
【０１２７】
[0143]図１３は、本開示の様々な態様による、ワイヤレス通信のための方法１３００の一例を示すフローチャートである。明確にするために、方法１３００は、図１もしくは図１０を参照して記載された基地局１０５もしくは基地局１００５のうちの１つもしくは複数の態様、図１もしくは図１１を参照して記載されたＵＥ１１５もしくはＵＥ１１１５のうちの１つもしくは複数の態様、または、図７もしくは図８を参照して記載された装置７０５もしくは装置８０５のうちの１つもしくは複数の態様を参照して、下記に記載される。いくつかの例では、基地局、ＵＥ、または装置は、下記に記載される機能を実施するように、基地局、ＵＥ、または装置の機能要素を制御するために、コードの１つまたは複数のセットを実行することができる。追加または代替として、基地局、ＵＥ、または装置は、専用ハードウェアを使用して、下記に記載される機能のうちの１つまたは複数を実施することができる。
【０１２８】
[0144]ブロック１３０５において、方法１３００は、ライセンスされていない無線周波数スペクトル帯域の複数のチャネルに対するアクセスを競合するために使用される複数のカウンタを識別することを含み得る。複数のカウンタの各々は、ライセンスされていない無線周波数スペクトル帯域の複数のチャネルのうちのそれぞれのチャネルに関連付けられ得る。ライセンスされていない無線周波数スペクトル帯域は、送信装置がアクセスを競合する無線周波数スペクトル帯域（たとえば、Ｗｉ−Ｆｉ用途に利用可能な無線周波数スペクトル帯域、または同等共有方式もしくは優先度付け方式で複数の事業者による使用に利用可能な無線周波数スペクトル帯域）を含み得る。ブロック１３０５における（１つまたは複数の）動作は、図７、図８、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図７または図８を参照して記載された、チャネル競合コンポーネント７３５、８３５、もしくは９３５、またはカウンタマネージャ７４０もしくは８４０を使用して実施され得る。
【０１２９】
[0145]ブロック１３１０において、方法１３００は、オプションとして、複数のチャネルに対するアクセス競合を開始することを含み得る。いくつかの例では、チャネルに対するアクセスを競合することは、チャネルのために構成されたｅＣＣＡ手順に含まれる複数のＣＣＡ手順を実施することと、ＣＣＡ手順の間にチャネルがクリアであると決定されるたびに、チャネルに関連付けられたカウンタを減分することとを含み得る。チャネルに関連付けられたカウンタが最終カウントに達すると、チャネルに対するアクセス競合に勝つことができる。ブロック１３１０における（１つまたは複数の）動作は、図７、図８、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図７または図８を参照して記載された、チャネル競合コンポーネント７３５または８３５を使用して実施され得る。
【０１３０】
[0146]ブロック１３１５において、方法１３００は、時間間隔（たとえば、ＣＣＡスロット）の間にライセンスされていない無線周波数スペクトル帯域の複数のチャネルの各チャネルを測定することを含み得る。測定は、ライセンスされていない無線周波数スペクトル帯域の複数のチャネルに対するアクセス競合に関連付けられ得、いくつかの例では、アクセス競合の一部として実施され得る。ブロック１３１５における（１つまたは複数の）動作は、図７、図８、図９、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図７または図８を参照して記載された、チャネル競合コンポーネント７３５もしくは８３５、またはチャネル測定コンポーネント７４５もしくは８４５を使用して実施され得る。
【０１３１】
[0147]ブロック１３２０において、方法１３００は、時間間隔の間に、測定が複数のチャネルの各々でエネルギーしきい値を上回るチャネルエネルギーを示すかどうかを決定することを含み得る。測定が複数のチャネルの各々でエネルギーしきい値を上回るチャネルエネルギーを示すとき、方法１３００はブロック１３２５において続行することができる。測定が複数のチャネルの各々でエネルギーしきい値を上回るチャネルエネルギーを示さないとき、方法１３００はブロック１３３０において続行することができる。ブロック１３２０における（１つまたは複数の）動作は、図７、図８、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図７または図８を参照して記載された、チャネル競合コンポーネント７３５もしくは８３５、またはチャネルシンクロナイザ／デシンクロナイザ７５０もしくは８５０、あるいは、図８を参照して記載されたカウンタスプリッタ８６０を使用して実施され得る。
【０１３２】
[0148]ブロック１３２５において、方法１３００は、複数のカウンタを第１のグループのカウンタおよび第２のグループのカウンタに分割することを含み得る。分割は、図１２のブロック１２２０を参照して記載された非同期化の一例である。いくつかの例では、１つのグループのカウンタ（たとえば、第１のグループのカウンタ）のうちのカウンタは、分割に続いてそれらの現在値を保持し得、他のグループのカウンタ（たとえば、第２のグループのカウンタ）のうちのカウンタは、新しい値に調整され（たとえば、増やされまたは減らされ）得る。ブロック１３２５における（１つまたは複数の）動作は、図７、図８、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図７または図８を参照して記載された、チャネル競合コンポーネント７３５もしくは８３５、またはチャネルシンクロナイザ／デシンクロナイザ７５０もしくは８５０、あるいは、図８を参照して記載されたカウンタスプリッタ８６０を使用して実施され得る。
【０１３３】
[0149]ブロック１３３０において、方法１３００は、複数のカウンタの同期化または非同期化を控えることを含み得る。ブロック１３３０における（１つまたは複数の）動作は、図７、図８、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図７または図８を参照して記載された、チャネル競合コンポーネント７３５もしくは８３５、またはチャネルシンクロナイザ／デシンクロナイザ７５０もしくは８５０、あるいは、図８を参照して記載されたカウンタスプリッタ８６０を使用して実施され得る。
【０１３４】
[0150]このようにして、方法１３００はワイヤレス通信を提供することができる。方法１３００は、単に１つの実装形態であること、および、方法１３００の動作は、他の実装形態が可能であるように並べ替えられるか、または場合によっては修正される場合があることに留意されたい。
【０１３５】
[0151]図１４は、本開示の様々な態様による、ワイヤレス通信のための方法１４００の一例を示すフローチャートである。明確にするために、方法１４００は、図１もしくは図１０を参照して記載された基地局１０５もしくは基地局１００５のうちの１つもしくは複数の態様、図１もしくは図１１を参照して記載されたＵＥ１１５もしくはＵＥ１１１５のうちの１つもしくは複数の態様、または、図７もしくは図８を参照して記載された装置７０５もしくは装置８０５のうちの１つもしくは複数の態様を参照して、下記に記載される。いくつかの例では、基地局、ＵＥ、または装置は、下記に記載される機能を実施するように、基地局、ＵＥ、または装置の機能要素を制御するために、コードの１つまたは複数のセットを実行することができる。追加または代替として、基地局、ＵＥ、または装置は、専用ハードウェアを使用して、下記に記載される機能のうちの１つまたは複数を実施することができる。
【０１３６】
[0152]ブロック１４０５において、方法１４００は、ライセンスされていない無線周波数スペクトル帯域の複数のチャネルに対するアクセスを競合するために使用される複数のカウンタを識別することを含み得る。複数のカウンタの各々は、ライセンスされていない無線周波数スペクトル帯域の複数のチャネルのうちのそれぞれのチャネルに関連付けられ得る。ライセンスされていない無線周波数スペクトル帯域は、送信装置がアクセスを競合する無線周波数スペクトル帯域（たとえば、Ｗｉ−Ｆｉ用途に利用可能な無線周波数スペクトル帯域、または同等共有方式もしくは優先度付け方式で複数の事業者による使用に利用可能な無線周波数スペクトル帯域）を含み得る。ブロック１４０５における（１つまたは複数の）動作は、図７、図８、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図７または図８を参照して記載された、チャネル競合コンポーネント７３５もしくは８３５、またはカウンタマネージャ７４０もしくは８４０を使用して実施され得る。
【０１３７】
[0153]ブロック１４１０において、方法１４００は、オプションとして、複数のチャネルのうちの少なくとも第１のチャネルおよび第２のチャネルに対するアクセス競合を開始することを含み得る。いくつかの例では、チャネルに対するアクセスを競合することは、チャネルのために構成されたｅＣＣＡ手順に含まれる複数のＣＣＡ手順を実施することと、ＣＣＡ手順の間にチャネルがクリアであると決定されるたびに、チャネルに関連付けられたカウンタを減分することとを含み得る。チャネルに関連付けられたカウンタが最終カウントに達すると、チャネルに対するアクセス競合に勝つことができる。ブロック１４１０における（１つまたは複数の）動作は、図７、図８、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図７または図８を参照して記載された、チャネル競合コンポーネント７３５または８３５を使用して実施され得る。
【０１３８】
[0154]ブロック１４１５において、方法１４００は、時間間隔（たとえば、再同期化スロット）の間に少なくとも第１のチャネルと第２のチャネルとを測定することを含み得る。測定は、少なくとも第１のチャネルおよび第２のチャネルに対するアクセス競合に関連付けられ得、いくつかの例では、アクセス競合の一部として実施され得る。ブロック１４１５における（１つまたは複数の）動作は、図７、図８、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図７または図８を参照して記載された、チャネル競合コンポーネント７３５もしくは８３５、またはチャネル測定コンポーネント７４５もしくは８４５を使用して実施され得る。
【０１３９】
[0155]ブロック１４２０において、方法１４００は、時間間隔の間に、測定が少なくとも第１のチャネルおよび第２のチャネルでエネルギーしきい値を下回るチャネルエネルギーを示すかどうかを決定することを含み得る。測定が少なくとも第１のチャネルおよび第２のチャネルでエネルギーしきい値を下回るチャネルエネルギーを示すとき、方法１４００はブロック１４２５において続行することができる。測定が少なくとも第１のチャネルおよび第２のチャネルでエネルギーしきい値を下回るチャネルエネルギーを示さないとき、方法１４００はブロック１４３０において続行することができる。ブロック１４２０における（１つまたは複数の）動作は、図７、図８、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図７または図８を参照して記載された、チャネル競合コンポーネント７３５もしくは８３５、またはチャネルシンクロナイザ／デシンクロナイザ７５０もしくは８５０、あるいは、図８を参照して記載されたカウンタリシンクロナイザ８６５を使用して実施され得る。
【０１４０】
[0156]ブロック１４２５において、方法１４００は、少なくとも第１のチャネルに対するアクセス競合に関連付けられた第１のカウンタと、第２のチャネルに対するアクセス競合に関連付けられた第２のカウンタとを同期化することを含み得る。いくつかの例では、第１のカウンタおよび第２のカウンタは、第１のカウンタの第１の現在値および第２のカウンタの第２の現在値の最大値に同期化され得る。同期化は、図１２のブロック１２２０を参照して記載された同期化の一例である。ブロック１４２５における（１つまたは複数の）動作は、図７、図８、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図７または図８を参照して記載された、チャネル競合コンポーネント７３５もしくは８３５、またはチャネルシンクロナイザ／デシンクロナイザ７５０もしくは８５０、あるいは、図８を参照して記載されたカウンタリシンクロナイザ８６５を使用して実施され得る。
【０１４１】
[0157]ブロック１４３０において、方法１４００は、複数のカウンタの同期化または非同期化を控えることを含み得る。ブロック１４３０における（１つまたは複数の）動作は、図７、図８、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図７または図８を参照して記載された、チャネル競合コンポーネント７３５もしくは８３５、またはチャネルシンクロナイザ／デシンクロナイザ７５０もしくは８５０、あるいは、図８を参照して記載されたカウンタリシンクロナイザ８６５を使用して実施され得る。
【０１４２】
[0158]このようにして、方法１４００はワイヤレス通信を提供することができる。方法１４００は、単に１つの実装形態であること、および、方法１４００の動作は、他の実装形態が可能であるように並べ替えられるか、または場合によっては修正される場合があることに留意されたい。
【０１４３】
[0159]図１５は、本開示の様々な態様による、ワイヤレス通信のための方法１５００の一例を示すフローチャートである。明確にするために、方法１５００は、図１もしくは図１０を参照して記載された基地局１０５もしくは基地局１００５のうちの１つもしくは複数の態様、図１もしくは図１１を参照して記載されたＵＥ１１５もしくはＵＥ１１１５のうちの１つもしくは複数の態様、または、図７もしくは図８を参照して記載された装置７０５もしくは装置８０５のうちの１つもしくは複数の態様を参照して、下記に記載される。いくつかの例では、基地局、ＵＥ、または装置は、下記に記載される機能を実施するように、基地局、ＵＥ、または装置の機能要素を制御するために、コードの１つまたは複数のセットを実行することができる。追加または代替として、基地局、ＵＥ、または装置は、専用ハードウェアを使用して、下記に記載される機能のうちの１つまたは複数を実施することができる。
【０１４４】
[0160]ブロック１５０５、ブロック１５２０、および／またはブロック１５２５において、方法１５００は、再同期化フラグを設定またはクリアすることを含み得る。ブロック１５０５において、方法１５００は、初期化手順の間に再同期化フラグをセットすることを含み得る。代替として、方法１５００は、ブロック１５１０、ブロック１５１５、ブロック１５２０、および／またはブロック１５２５における動作を実施することを含み得る。ブロック１５１０において、方法１５００は、方法１５００を実施する基地局、ＵＥ、または装置が、評価期間内に並行してライセンスされていない無線周波数スペクトル帯域のあらかじめ決められた数のチャネル（たとえば、複数のチャネルの半分）上で送信する時間の割合を計算することを含み得る。ライセンスされていない無線周波数スペクトル帯域は、送信装置がアクセスを競合する無線周波数スペクトル帯域（たとえば、Ｗｉ−Ｆｉ用途に利用可能な無線周波数スペクトル帯域、または同等共有方式もしくは優先度付け方式で複数の事業者による使用に利用可能な無線周波数スペクトル帯域）を含み得る。ブロック１５１５において、方法１５００は、時間の割合がしきい値を満たすかどうかを決定することを含み得る。時間の割合がしきい値を満たすとき、方法１５００はブロック１５２０において続行することができ、そこで、再同期化フラグがセットされ得る。時間の割合がしきい値を満たさないとき、方法１５００はブロック１５２５において続行することができ、そこで、再同期化フラグがクリアされ得る。ブロック１５０５、ブロック１５１０、ブロック１５１５、ブロック１５２０、またはブロック１５２５における動作は、図７、図８、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図８を参照して記載された、チャネル競合コンポーネント７３５もしくは８３５、または再同期化フラグマネージャ８７０を使用して実施され得る。
【０１４５】
[0161]ブロック１５３０において、方法１５００は、ライセンスされていない無線周波数スペクトル帯域の複数のチャネルに対するアクセスを競合するために使用される複数のカウンタを識別することを含み得る。複数のカウンタの各々は、複数のチャネルのうちのそれぞれのチャネルに関連付けられ得る。ブロック１５３０における（１つまたは複数の）動作は、図７、図８、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図７または図８を参照して記載された、チャネル競合コンポーネント７３５もしくは８３５、またはカウンタマネージャ７４０もしくは８４０を使用して実施され得る。
【０１４６】
[0162]ブロック１５３５において、方法１５００は、オプションとして、複数のチャネルのうちの少なくとも第１のチャネルおよび第２のチャネルに対するアクセス競合を開始することを含み得る。（複数のカウンタのうちの）第１のカウンタは、第１のチャネルに対するアクセス競合に関連付けられ得、（複数のカウンタのうちの）第２のカウンタは、第２のチャネルに対するアクセス競合に関連付けられ得る。いくつかの例では、チャネルに対するアクセスを競合することは、チャネルのために構成されたｅＣＣＡ手順に含まれる複数のＣＣＡ手順を実施することと、ＣＣＡ手順の間にチャネルがクリアであると決定されるたびに、チャネルに関連付けられたカウンタを減分することとを含み得る。チャネルに関連付けられたカウンタが最終カウントに達すると、チャネルに対するアクセス競合に勝つことができる。ブロック１５３５における（１つまたは複数の）動作は、図７、図８、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図７または図８を参照して記載された、チャネル競合コンポーネント７３５または８３５を使用して実施され得る。
【０１４７】
[0163]ブロック１５４０において、方法１５００は、第２のカウンタが第２のカウンタの第２の最終カウントに達する前に、第１のカウンタが第１のカウンタの第１の最終カウントに達するかどうかを決定することを含み得る。第２のカウンタが第２の最終カウントに達する前に第１のカウンタが第１の最終カウントに達するとき、方法１５００はブロック１５４５において続行することができる。第２のカウンタが第２の最終カウントに達する前に第１のカウンタが第１の最終カウントに達しないとき、方法１５００はブロック１５６０において続行することができる。
【０１４８】
[0164]ブロック１５４５において、方法１５００は、再同期化フラグがセットされるかどうかを決定することを含み得る。再同期化フラグがセットされるとき、方法１５００はブロック１５５０において続行することができる。再同期化フラグがセットされないとき、方法１５００はブロック１５５５において続行することができる。
【０１４９】
[0165]ブロック１５５０において、方法１５００は、第２のカウンタの第２の最終カウントに達する前に第１のカウンタの第１の最終カウントに達すると、第１のカウンタの第１の現在値を第２のカウンタの第２の現在値に設定し、第１のチャネル上の送信を延期することを含み得る。たとえば、第１の現在値がゼロであり、第２の現在値が２である場合、第１の現在値は２に設定され得る。第１のカウンタの第１の現在値を第２のカウンタの第２の現在値に設定した後、少なくとも第１のチャネルおよび第２のチャネルに対するアクセス競合は続行することができる。
【０１５０】
[0166]ブロック１５５５において、方法１５００は、第２のチャネルではなく、第１のチャネルに対するアクセス競合に勝ち、第１のチャネルにアクセスすることを含み得る。
【０１５１】
[0167]ブロック１５６０において、方法１５００は、第１のチャネルおよび第２のチャネルに対するアクセス競合を続行することを含み得る。第２のカウンタが第２の最終カウントに達するのと同時に第１のカウンタが第１の最終カウントに達する場合、方法１５００は、第１のチャネルおよび第２のチャネルに対するアクセス競合に勝ち、第１のチャネルおよび第２のチャネルにアクセスすることを含み得る。
【０１５２】
[0168]ブロック１５４０、ブロック１５４５、ブロック１５５０、ブロック１５５５、またはブロック１５６０における（１つまたは複数の）動作は、図７、図８、図１０、または図１１を参照して記載された、ワイヤレス通信マネージャ７２０もしくは８２０、基地局ワイヤレス通信マネージャ１０６０、またはＵＥワイヤレス通信マネージャ１１５０、あるいは、図７または図８を参照して記載された、チャネル競合コンポーネント７３５もしくは８３５、またはチャネルシンクロナイザ／デシンクロナイザ７５０もしくは８５０、あるいは、図８を参照して記載されたカウンタリシンクロナイザ８６５を使用して実施され得る。
【０１５３】
[0169]このようにして、方法１５００はワイヤレス通信を提供することができる。方法１５００は、単に１つの実装形態であること、および、方法１５００の動作は、他の実装形態が可能であるように並べ替えられるか、または場合によっては修正される場合があることに留意されたい。
【０１５４】
[0170]図１６は、本開示の様々な態様による、ワイヤレス通信のための方法１６００の一例を示すフローチャートである。明確にするために、方法１６００は、図１もしくは図１０を参照して記載された基地局１０５もしくは基地局１００５のうちの１つもしくは複数の態様、図１もしくは図１１を参照して記載されたＵＥ１１５もしくはＵＥ１１１５のうちの１つもしくは複数の態様、または、図７もしくは図９を参照して記載された装置７０５もしくは装置９０５のうちの１つもしくは複数の態様を参照して、下記に記載される。いくつかの例では、基地局、ＵＥ、または装置は、下記に記載される機能を実施するように、基地局、ＵＥ、または装置の機能要素を制御するために、コードの１つまたは複数のセットを実行することができる。追加または代替として、基地局、ＵＥ、または装置は、専用ハードウェアを使用して、下記に記載される機能のうちの１つまたは複数を実施することができる。
【０１５５】
[0171]ブロック１６０５において、方法１６００は、ライセンスされていない無線周波数スペクトル帯域の複数のチャネルに対するアクセスを競合するために使用される複数のカウンタを識別することを含み得る。複数のカウンタの各々は、ライセンスされていない無線周波数スペクトル帯域の複数のチャネルのうちのそれぞれのチャネルに関連付けられ得る。ライセンスされていない無線周波数スペクトル帯域は、送信装置がアクセスを競合する無線周波数スペクトル帯域（たとえば、Ｗｉ−Ｆｉ用途に利用可能な無線周波数スペクトル帯域、または同等共有方式もしくは優先度付け方式で複数の事業者による使用に利用可能な無線周波数スペクトル帯域）を含み得る。ブロック１６０５における（１つまたは複数の）動作は、図７、図９、図１０、または図１１を参照して記載された、ワイヤレス通信マネージャ７２０もしくは９２０、基地局ワイヤレス通信マネージャ１０６０、またはＵＥワイヤレス通信マネージャ１１５０、あるいは、図７または図９を参照して記載された、チャネル競合コンポーネント７３５もしくは９３５、またはカウンタマネージャ７４０もしくは９４０を使用して実施され得る。
【０１５６】
[0172]ブロック１６１０において、方法１６００は、複数のチャネルのうちの第１のチャネルに対するアクセスを競合するために、ｅＣＣＡ手順を実施することを含み得る。ｅＣＣＡ手順は、複数のカウンタのうちの第１のカウンタに少なくとも部分的に基づき得る。いくつかの例では、ｅＣＣＡ手順を実施することは、複数のＣＣＡスロットの各々の間に第１のチャネル上のエネルギーを測定することを含み得る。
【０１５７】
[0173]ブロック１６１５において、方法１６００は、ｅＣＣＡ手順が成功裏に完了したかどうかを決定することを含み得る。ｅＣＣＡ手順が成功裏に完了したと決定すると、方法１６００はブロック１６２０において続行することができる。ｅＣＣＡ手順が成功裏に完了しなかったと決定すると、方法１６００はブロック１６４５において続行することができる。
【０１５８】
[0174]ブロック１６２０において、方法１６００は、第１のチャネルに対するアクセス競合に勝つことを含み得る。ブロック１６１０、ブロック１６１５、またはブロック１６２０における動作は、図７、図９、図１０、または図１１を参照して記載された、ワイヤレス通信マネージャ７２０もしくは９２０、基地局ワイヤレス通信マネージャ１０６０、またはＵＥワイヤレス通信マネージャ１１５０、あるいは、図７または図９を参照して記載された、チャネル競合コンポーネント７３５もしくは９３５、またはカウンタマネージャ７４０もしくは９４０、あるいは、図９を参照して記載されたｅＣＣＡマネージャ９５５を使用して実施され得る。
【０１５９】
[0175]ブロック１６２５において、方法１６００は、複数のチャネルのうちの第２のチャネルに対するアクセスを競合するために、ＣＣＡ手順を実施することを含み得る。ＣＣＡ手順は、複数のカウンタのうちの第２のカウンタに少なくとも部分的に基づき得る。いくつかの例では、ＣＣＡ手順を実施することは、単一のＣＣＡスロットの間に第２のチャネル上のエネルギーを測定することを含み得る。
【０１６０】
[0176]ブロック１６３０において、方法１６００は、ＣＣＡ手順が成功裏に完了したかどうかを決定することを含み得る。ＣＣＡ手順が成功裏に完了したと決定すると、方法１６００はブロック１６３５において続行することができる。ＣＣＡ手順が成功裏に完了しなかったと決定すると、方法１６００はブロック１６４０において続行することができる。
【０１６１】
[0177]ブロック１６３５において、方法１６００は、ｅＣＣＡ手順およびＣＣＡ手順を成功裏に実施すると、第２のチャネルに対するアクセス競合に勝つことを含み得る。ブロック１６４０において、方法１６００は、第２のチャネルに対するアクセス競合に勝つことに失敗することを含み得る。ブロック１６３５またはブロック１６４０における動作は、図７、図９、図１０、または図１１を参照して記載された、ワイヤレス通信マネージャ７２０もしくは９２０、基地局ワイヤレス通信マネージャ１０６０、またはＵＥワイヤレス通信マネージャ１１５０、あるいは、図７または図９を参照して記載された、チャネル競合コンポーネント７３５または９３５、あるいは、図９を参照して記載されたＣＣＡマネージャ９６０を使用して実施され得る。
【０１６２】
[0178]ブロック１６４５において、方法１６００は、第１のチャネルに対するアクセス競合に勝つことに失敗することと、第１のチャネルに対するアクセス競合に勝つことに失敗することに少なくとも部分的に基づいて、第２のチャネルに対するアクセス競合に勝つことに失敗することとを含み得る。ブロック１６４５における（１つまたは複数の）動作は、図７、図９、図１０、または図１１を参照して記載された、ワイヤレス通信マネージャ７２０もしくは９２０、基地局ワイヤレス通信マネージャ１０６０、またはＵＥワイヤレス通信マネージャ１１５０、あるいは、図７または図９を参照して記載された、チャネル競合コンポーネント７３５または９３５を使用して実施され得る。
【０１６３】
[0179]このようにして、方法１６００はワイヤレス通信を提供することができる。方法１６００は、単に１つの実装形態であること、および、方法１６００の動作は、他の実装形態が可能であるように並べ替えられるか、または場合によっては修正される場合があることに留意されたい。
【０１６４】
[0180]いくつかの例では、図１２、図１３、図１４、図１５、および／または図１６を参照して記載された方法１２００、方法１３００、方法１４００、方法１５００、および／または方法１６００の（１つまたは複数の）動作は組み合わされ得る。
【０１６５】
[0181]本明細書に記載された技法は、ＣＤＭＡ、ＴＤＭＡ、ＦＤＭＡ、ＯＦＤＭＡ、ＳＣ−ＦＤＭＡ、および他のシステムなどの、様々なワイヤレス通信システムに使用され得る。「システム」および「ネットワーク」という用語は、しばしば、互換的に使用される。ＣＤＭＡシステムは、ＣＤＭＡ２０００、ユニバーサル地上波無線アクセス（ＵＴＲＡ）などの無線技術を実装することができる。ＣＤＭＡ２０００は、ＩＳ−２０００規格と、ＩＳ−９５規格と、ＩＳ−８５６規格とをカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装することができる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（商標）などの無線技術を実装することができる。ＵＴＲＡおよびＥ−ＵＴＲＡは、ユニバーサルモバイルテレコミュニケーションシステム（ＵＭＴＳ）の一部である。３ＧＰＰのＬＴＥおよびＬＴＥ−Ａは、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、３ＧＰＰと称する団体からの文書に記載されている。ＣＤＭＡ２０００およびＵＭＢは、「第３世代パートナーシッププロジェクト２」（３ＧＰＰ２）と称する団体からの文書に記載されている。本明細書に記載された技法は、ライセンスされていない帯域幅または共有帯域幅上のセルラー（たとえば、ＬＴＥ）通信を含む、上述されたシステムおよび無線技術ならびに他のシステムおよび無線技術に使用され得る。しかしながら、上記の説明は例としてＬＴＥ／ＬＴＥ−Ａシステムを記載し、上記の説明の大部分においてＬＴＥ用語が使用されるが、本技法はＬＴＥ／ＬＴＥ−Ａの用途以外に適用可能である。
【０１６６】
[0182]添付の図面に関して上記に記載された詳細な説明は例を記載しており、実装され得る、または特許請求の範囲内に入る例のすべてを表すとは限らない。「例」および「例示的」という用語は、本明細書で使用されるとき、「例、事例、または例示として働くこと」を意味し、「好ましい」または「他の例よりも有利」を意味しない。詳細な説明は、記載された技法の理解を与えるための具体的な詳細を含む。しかしながら、これらの技法は、これらの具体的な詳細なしに実践され得る。場合によっては、記載された例の概念を不明瞭にすることを回避するために、よく知られた構造および装置がブロック図の形態で示される。
【０１６７】
[0183]情報および信号は、多種多様な技術および技法のうちのいずれかを使用して表され得る。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１６８】
[0184]本明細書の開示に関して記載された様々な例示的なブロックおよびコンポーネントは、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェアコンポーネント、または本明細書に記載された機能を実施するように設計されたそれらの任意の組合せを用いて実装または実施され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ（たとえば、ＤＳＰとマイクロプロセッサとの組合せ、複数のマイクロプロセッサ、ＤＳＰコアと連携する１つもしくは複数のマイクロプロセッサ、または任意の他のそのような構成）として実装され得る。
【０１６９】
[0185]本明細書に記載された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲および趣旨ならびに添付の特許請求の範囲の中に入る。たとえば、ソフトウェアの本質に起因して、上述された機能は、プロセッサ、ハードウェア、ファームウェア、ハードワイヤリング、またはこれらのいずれかの組合せによって実行されるソフトウェアを使用して実装されることができる。機能を実装するコンポーネントはまた、異なる物理的ロケーションにおいて機能の部分が実装されるように分散されることを含めて、様々な位置に物理的に配置され得る。特許請求の範囲内を含めて、本明細書で使用される「または」という用語は、２つ以上の項目の列挙内で使用されるとき、列挙された項目のうちのいずれか１つが単独で採用され得ること、または列挙された項目のうちの２つ以上の任意の組合せが採用され得ることを意味する。たとえば、組成がコンポーネントＡ、Ｂ、またはＣを含んでいるものとして記載される場合、その組成は、Ａのみ、Ｂのみ、Ｃのみ、ＡとＢの組合せ、ＡとＣの組合せ、ＢとＣの組合せ、またはＡとＢとＣの組合せを含むことができる。また、特許請求の範囲内を含めて、本明細書で使用される場合、項目の列挙（たとえば、「のうちの少なくとも１つ」または「のうちの１つまたは複数」などの語句で終わる項目の列挙）内で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１７０】
[0186]コンピュータ可読媒体は、ある場所から別の場所へのコンピュータプログラムの転送を容易にする任意の媒体を含む、コンピュータ記憶媒体と通信媒体の両方を含む。記憶媒体は、汎用コンピュータまたは専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用されることができ、汎用コンピュータもしくは専用コンピュータまたは汎用プロセッサもしくは専用プロセッサによってアクセスされることができる、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１７１】
[0187]本開示のこれまでの説明は、当業者が本開示を作成または使用することが可能になるように提供される。本開示への様々な修正は当業者に容易に明らかとなり、本明細書で定義された一般原理は、本開示の範囲から逸脱することなく他の変形形態に適用され得る。したがって、本開示は、本明細書に記載された例および設計に限定されるべきではなく、本明細書で開示された原理および新規の技法と一致する最も広い範囲を与えられるべきである。
以下に、本願出願の当初の特許請求の範囲に記載された発明を付記する。
［Ｃ１］
デバイスにおけるワイヤレス通信のための方法であって、
ライセンスされていない無線周波数スペクトル帯域の複数のチャネルに対するアクセスを競合するために使用される複数のカウンタを識別することと、前記複数のカウンタの各々が、前記ライセンスされていない無線周波数スペクトル帯域の前記複数のチャネルのうちのそれぞれのチャネルに関連付けられ、
前記ライセンスされていない無線周波数スペクトル帯域の前記複数のチャネルのうちの少なくとも１つのチャネルを測定することと、前記測定が、前記ライセンスされていない無線周波数スペクトル帯域の前記複数のチャネルのうちの前記少なくとも１つのチャネルに対するアクセス競合に関連付けられ、
前記測定に少なくとも部分的に基づいて、前記複数のカウンタの少なくともサブセットを同期化または非同期化することと
を備える、方法。
［Ｃ２］
前記同期化または非同期化することが、
前記測定が第１のチャネルおよび第２のチャネルのうちの少なくとも１つでエネルギーしきい値を上回るチャネルエネルギーを示すとき、少なくとも前記第１のチャネルに対するアクセス競合に関連付けられた第１のカウンタと、前記第２のチャネルに対するアクセス競合に関連付けられた第２のカウンタとを非同期化すること
を備える、Ｃ１に記載の方法。
［Ｃ３］
時間間隔の間に前記測定を実施すること
をさらに備え、
前記同期化または非同期化することが、前記時間間隔の間の前記測定が前記複数のチャネルの各々でエネルギーしきい値を上回るチャネルエネルギーを示すとき、前記複数のカウンタを第１のグループのカウンタおよび第２のグループのカウンタに分割することを備える、
Ｃ１に記載の方法。
［Ｃ４］
前記時間間隔がＣＣＡスロットを備える、Ｃ３に記載の方法。
［Ｃ５］
時間間隔の間に前記測定を実施すること
をさらに備え、
前記同期化または非同期化することが、前記時間間隔の間の前記測定が第１のチャネルおよび第２のチャネルの各々でエネルギーしきい値を下回るチャネルエネルギーを示すとき、少なくとも前記第１のチャネルに対するアクセス競合に関連付けられた第１のカウンタと、前記第２のチャネルに対するアクセス競合に関連付けられた第２のカウンタとを同期化することを備える、
Ｃ１に記載の方法。
［Ｃ６］
前記時間間隔が、周期的再同期化スロットのセットに属する再同期化スロットを備える、Ｃ５に記載の方法。
［Ｃ７］
前記同期化することが、
前記第１のカウンタおよび前記第２のカウンタを、前記第１のカウンタの第１の現在値および前記第２のカウンタの第２の現在値の最大値に同期化すること
を備える、Ｃ５に記載の方法。
［Ｃ８］
前記複数のカウンタが、第１のチャネルに対するアクセス競合に関連付けられた第１のカウンタと、第２のチャネルに対するアクセス競合に関連付けられた第２のカウンタとを備え、前記同期化または非同期化することが、
前記第２のカウンタの第２の最終カウントに達する前に前記第１のカウンタの第１の最終カウントに達して、再同期化フラグがセットされると決定すると、前記第１のカウンタの第１の現在値を前記第２のカウンタの第２の現在値に設定し、前記第１のチャネル上の送信を延期すること
を備える、Ｃ１に記載の方法。
［Ｃ９］
初期化手順の間に前記再同期化フラグをセットすること
をさらに備える、Ｃ８に記載の方法。
［Ｃ１０］
評価期間内に並行して前記ライセンスされていない無線周波数スペクトル帯域のあらかじめ決められた数のチャネル上で前記デバイスが送信する時間の割合を計算することと、
しきい値を満たす前記時間の割合に少なくとも部分的に基づいて、前記再同期化フラグをセットすることと
をさらに備える、Ｃ８に記載の方法。
［Ｃ１１］
前記複数のチャネルのうちの第１のチャネルに対するアクセスを競合するために、拡張クリアチャネルアセスメント（ｅＣＣＡ）手順を実施すること
をさらに備え、前記ｅＣＣＡ手順が前記複数のカウンタのうちの１つのカウンタに少なくとも部分的に基づく、Ｃ１に記載の方法。
［Ｃ１２］
前記同期化または非同期化することが、
前記第１のチャネルに対するアクセス競合に勝つと、前記複数のチャネルのうちの第２のチャネルに対するアクセスを競合するために、クリアチャネルアセスメント（ＣＣＡ）手順を実施することと、
前記ｅＣＣＡ手順および前記ＣＣＡ手順を成功裏に実施すると、前記第２のチャネルに対するアクセス競合に勝つことと
を備える、Ｃ１１に記載の方法。
［Ｃ１３］
デバイスにおけるワイヤレス通信のための装置であって、
ライセンスされていない無線周波数スペクトル帯域の複数のチャネルに対するアクセスを競合するために使用される複数のカウンタを識別するための手段と、前記複数のカウンタの各々が、前記ライセンスされていない無線周波数スペクトル帯域の前記複数のチャネルのうちのそれぞれのチャネルに関連付けられ、
前記ライセンスされていない無線周波数スペクトル帯域の前記複数のチャネルのうちの少なくとも１つのチャネルを測定するための手段と、前記測定が、前記ライセンスされていない無線周波数スペクトル帯域の前記複数のチャネルのうちの前記少なくとも１つのチャネルに対するアクセス競合に関連付けられ、
前記測定に少なくとも部分的に基づいて、前記複数のカウンタの少なくともサブセットを同期化または非同期化するための手段と
を備える、装置。
［Ｃ１４］
同期化または非同期化するための前記手段が、
前記測定が第１のチャネルおよび第２のチャネルのうちの少なくとも１つでエネルギーしきい値を上回るチャネルエネルギーを示すとき、少なくとも前記第１のチャネルに対するアクセス競合に関連付けられた第１のカウンタと、前記第２のチャネルに対するアクセス競合に関連付けられた第２のカウンタとを非同期化するための手段
を備える、Ｃ１３に記載の装置。
［Ｃ１５］
時間間隔の間に前記測定を実施するための手段
をさらに備え、
同期化または非同期化するための前記手段が、前記時間間隔の間の前記測定が前記複数のチャネルの各々でエネルギーしきい値を上回るチャネルエネルギーを示すとき、前記複数のカウンタを第１のグループのカウンタおよび第２のグループのカウンタに分割するための手段を備える、
Ｃ１３に記載の装置。
［Ｃ１６］
時間間隔の間に前記測定を実施するための手段
をさらに備え、
同期化または非同期化するための前記手段が、前記時間間隔の間の前記測定が第１のチャネルおよび第２のチャネルの各々でエネルギーしきい値を下回るチャネルエネルギーを示すとき、少なくとも前記第１のチャネルに対するアクセス競合に関連付けられた第１のカウンタと、前記第２のチャネルに対するアクセス競合に関連付けられた第２のカウンタとを同期化するための手段を備える、
Ｃ１３に記載の装置。
［Ｃ１７］
前記時間間隔が、周期的再同期化スロットのセットに属する再同期化スロットを備える、Ｃ１６に記載の装置。
［Ｃ１８］
同期化するための前記手段が、
前記第１のカウンタおよび前記第２のカウンタを、前記第１のカウンタの第１の現在値および前記第２のカウンタの第２の現在値の最大値に同期化するための手段
を備える、Ｃ１６に記載の装置。
［Ｃ１９］
前記複数のカウンタが、第１のチャネルに対するアクセス競合に関連付けられた第１のカウンタと、第２のチャネルに対するアクセス競合に関連付けられた第２のカウンタとを備え、同期化または非同期化するための前記手段が、
前記第２のカウンタの第２の最終カウントに達する前に前記第１のカウンタの第１の最終カウントに達して、再同期化フラグがセットされると決定すると、前記第１のカウンタの第１の現在値を前記第２のカウンタの第２の現在値に設定し、前記第１のチャネル上の送信を延期するための手段
を備える、Ｃ１３に記載の装置。
［Ｃ２０］
評価期間内に並行して前記ライセンスされていない無線周波数スペクトル帯域のあらかじめ決められた数のチャネル上で前記デバイスが送信する時間の割合を計算するための手段と、
しきい値を満たす前記時間の割合に少なくとも部分的に基づいて、前記再同期化フラグをセットするための手段と
をさらに備える、Ｃ１９に記載の装置。
［Ｃ２１］
前記複数のチャネルのうちの第１のチャネルに対するアクセスを競合するために、拡張クリアチャネルアセスメント（ｅＣＣＡ）手順を実施するための手段
をさらに備え、前記ｅＣＣＡ手順が前記複数のカウンタのうちの１つのカウンタに少なくとも部分的に基づく、Ｃ１３に記載の装置。
［Ｃ２２］
同期化または非同期化するための前記手段が、
前記第１のチャネルに対するアクセス競合に勝つと、前記複数のチャネルのうちの第２のチャネルに対するアクセスを競合するために、クリアチャネルアセスメント（ＣＣＡ）手順を実施するための手段と、
前記ｅＣＣＡ手順および前記ＣＣＡ手順を成功裏に実施すると、前記第２のチャネルに対するアクセス競合に勝つための手段と
を備える、Ｃ２１に記載の装置。
［Ｃ２３］
デバイスにおけるワイヤレス通信のための装置であって、
プロセッサと、
前記プロセッサと電子通信しているメモリと
を備え、
前記プロセッサおよび前記メモリが、
ライセンスされていない無線周波数スペクトル帯域の複数のチャネルに対するアクセスを競合するために使用される複数のカウンタを識別することと、前記複数のカウンタの各々が、前記ライセンスされていない無線周波数スペクトル帯域の前記複数のチャネルのうちのそれぞれのチャネルに関連付けられ、
前記ライセンスされていない無線周波数スペクトル帯域の前記複数のチャネルのうちの少なくとも１つのチャネルを測定することと、前記測定が、前記ライセンスされていない無線周波数スペクトル帯域の前記複数のチャネルのうちの前記少なくとも１つのチャネルに対するアクセス競合に関連付けられ、
前記測定に少なくとも部分的に基づいて、前記複数のカウンタの少なくともサブセットを同期化または非同期化することと
を行うように構成される、
装置。
［Ｃ２４］
前記同期化または非同期化することが、
前記測定が第１のチャネルおよび第２のチャネルのうちの少なくとも１つでエネルギーしきい値を上回るチャネルエネルギーを示すとき、少なくとも前記第１のチャネルに対するアクセス競合に関連付けられた第１のカウンタと、前記第２のチャネルに対するアクセス競合に関連付けられた第２のカウンタとを非同期化すること
を備える、Ｃ２３に記載の装置。
［Ｃ２５］
前記プロセッサおよび前記メモリが、
時間間隔の間に前記測定を実施すること
を行うように構成され、
前記同期化または非同期化することが、前記時間間隔の間の前記測定が前記複数のチャネルの各々でエネルギーしきい値を上回るチャネルエネルギーを示すとき、前記複数のカウンタを第１のグループのカウンタおよび第２のグループのカウンタに分割することを備える、
Ｃ２３に記載の装置。
［Ｃ２６］
前記プロセッサおよび前記メモリが、
時間間隔の間に前記測定を実施すること
を行うように構成され、
前記同期化または非同期化することが、前記時間間隔の間の前記測定が第１のチャネルおよび第２のチャネルの各々でエネルギーしきい値を下回るチャネルエネルギーを示すとき、少なくとも前記第１のチャネルに対するアクセス競合に関連付けられた第１のカウンタと、前記第２のチャネルに対するアクセス競合に関連付けられた第２のカウンタとを同期化することを備える、
Ｃ２３に記載の装置。
［Ｃ２７］
前記複数のカウンタが、第１のチャネルに対するアクセス競合に関連付けられた第１のカウンタと、第２のチャネルに対するアクセス競合に関連付けられた第２のカウンタとを備え、前記同期化または非同期化することが、
前記第２のカウンタの第２の最終カウントに達する前に前記第１のカウンタの第１の最終カウントに達して、再同期化フラグがセットされると決定すると、前記第１のカウンタの第１の現在値を前記第２のカウンタの第２の現在値に設定し、前記第１のチャネル上の送信を延期すること
を備える、Ｃ２３に記載の装置。
［Ｃ２８］
前記プロセッサおよび前記メモリが、
初期化手順の間に前記再同期化フラグをセットすること
を行うように構成される、Ｃ２７に記載の装置。
［Ｃ２９］
前記プロセッサおよび前記メモリが、
評価期間内に並行して前記ライセンスされていない無線周波数スペクトル帯域のあらかじめ決められた数のチャネル上で前記デバイスが送信する時間の割合を計算することと、
しきい値を満たす前記時間の割合に少なくとも部分的に基づいて、前記再同期化フラグをセットすることと
を行うように構成される、Ｃ２７に記載の装置。
［Ｃ３０］
ワイヤレス通信のためのコンピュータ実行可能コードを記憶する非一時的コンピュータ可読媒体であって、前記コードが、
ライセンスされていない無線周波数スペクトル帯域の複数のチャネルに対するアクセスを競合するために使用される複数のカウンタを識別することと、前記複数のカウンタの各々が、前記ライセンスされていない無線周波数スペクトル帯域の前記複数のチャネルのうちのそれぞれのチャネルに関連付けられ、
前記ライセンスされていない無線周波数スペクトル帯域の前記複数のチャネルのうちの少なくとも１つのチャネルを測定することと、前記測定が、前記ライセンスされていない無線周波数スペクトル帯域の前記複数のチャネルのうちの前記少なくとも１つのチャネルに対するアクセス競合に関連付けられ、
前記測定に少なくとも部分的に基づいて、前記複数のカウンタの少なくともサブセットを同期化または非同期化することと
を行うようにプロセッサによって実行可能である、非一時的コンピュータ可読媒体。
【図１】
0006483321.tif 000002
【図２Ａ】
0006483321.tif 000003
【図２Ｂ】
0006483321.tif 000004
【図３】
0006483321.tif 000005
【図４】
0006483321.tif 000006
【図５】
0006483321.tif 000007
【図６】
0006483321.tif 000008
【図７】
0006483321.tif 000009
【図８】
0006483321.tif 000010
【図９】
0006483321.tif 000011
【図１０】
0006483321.tif 000012
【図１１】
0006483321.tif 000013
【図１２】
0006483321.tif 000014
【図１３】
0006483321.tif 000015
【図１４】
0006483321.tif 000016
【図１５】
0006483321.tif 000017
【図１６】
0006483321.tif 000018